(57)【要約】  本発明は、基板上にデバイスを取り付けるための装置および方法を対象とする。部品が基板に対して平行な組み立てのために提供されないので、動作中に処理が中断されることが多い。傾き制御ソリューションは、接合ヘッドのコスト、重量、および複雑さを増加させる。  既存の駆動装置および／またはアクチュエータを使用して接触面を傾けることによって、簡素化された傾き補正が可能になり、高いスループットおよび高い信頼性が提供される。傾き補正機構は、１つ以上の係合部材と、１つ以上の調整部材と、１つ以上の傾き位置阻止部と、から構成される。いくつかの場合には、受動要素および機構が使用され得る。【選択図】図２
2021529441.tif 000002
【特許請求の範囲】
【請求項１】
基板位置（１６５）に提供された基板基部（１９０）上の基板（１６０）上に部品（１５０）を取り付ける方法（２００）であって、
前記方法が、
・前記基板（１６０）に対して第１の移動軸（１７０）および第２の移動軸（１７５）に沿って変位可能な接合ヘッド（１１０）を提供する（２１０）ことであって、前記第２の移動軸（１７５）が、
前記第１の移動軸（１７０）に実質的に直角である、接合ヘッドを提供することと、
・接触面（１８５）を有するピックアップ部材（１８０）を提供する（２２０）ことであって、前記ピックアップ部材（１８０）が、前記接合ヘッド（１１０）上に配設され、前記接触面（１８５）が、
部品（１５０）に解放可能に装着可能であるように構成および配置され、前記接触面（１８５）が、前記第２の移動軸（１７５）の周りを回転可能であるようにさらに構成および配置されている、ピックアップ部材を提供することと、
・前記接合ヘッド（１１０）上に配設された第１の係合部材（１２０）を提供する（２３０）ことと、
・前記第１の係合部材（１２０）との堅固な係合のために、第１の調整位置（１３２）に第１の調整部材（１３０）を提供する（２４０）ことと、
・前記接合ヘッド（１１０）を前記第１の調整位置（１３２）に移動させる（２５０）ことと、
・前記第１の係合部材（１２０）を前記第１の調整部材（１３０）と堅固に係合する（２６０）ことと、
・前記接合ヘッド（１１０）を、前記第１の移動軸（１７０）に沿ってまたは前記第２の移動軸（１７５）に沿って前記第１の調整部材（１３０）に対して変位させることにより、
前記接触面（１８５）が前記第２の移動軸（１７５）の周りを回転するようにすること（２７０）と、
・前記第１の調整部材（１３０）から前記第１の係合部材（１２０）を解放すること（２８０）と、
・前記接合ヘッド（１１０）を前記基板位置（１６５）に向けて変位させる（２９０）ことであって、前記接合ヘッド（１１０）が、前記第２の移動軸（１７５）の周りでの前記接触面（１８５）の前記回転を維持する（２０３）、変位させることと、を含む、方法。
【請求項２】
前記方法が、
・前記接合ヘッド（１１０）を、前記基板（１６０）に対して第３の移動軸（１７７）に沿って変位可能であるように構成および配置する（２１５）ことであって、
前記第３の移動軸（１７７）が、前記第１の移動軸（１７０）に実質的に直角であり、前記第２の移動軸（１７５）に実質的に直角である、構成および配置することと、
・前記第３の移動軸（１７７）の周りを回転可能であるように、前記接触面（１８５）を構成および配置し（２２５）、
前記第１の係合部材（１２０）を前記第１の調整部材（１３０）と堅固に係合（２６０）した後、前記接合ヘッド（１１０）を、前記第１の移動軸（１７０）に沿って、または前記第２の移動軸（１７５）に沿って、または前記第３の移動軸（１７７）もしくは前記第１の調整部材（１３０）に対して、またはこれに沿って変位させる（２７０）ことにより、
前記接触面（１８５）が前記第３の移動軸（１７７）の周りを回転するようにすることと、
・前記第１の係合部材（１２０）を前記第１の調整部材（１３０）から解放した（２８０）後に、
前記接合ヘッド（１１０）を前記基板位置（１６５）に変位させること（２９０）であって、前記接合ヘッド（１１０）が、前記第３の移動軸（１７７）の周りでの前記接触面（１８５）の前記回転を維持する（２０５）、変位させることと、を含む、請求項１に記載の方法。
【請求項３】
前記方法が、
・前記接合ヘッド（１１０）を、前記基板（１６０）に対して第３の移動軸（１７７）に沿って変位可能であるように構成および配置すること（２１５）であって、前記第３の移動軸（１７７）が、
前記第１の移動軸（１７０）に実質的に直角であり、前記第２の移動軸（１７５）に実質的に直角である、構成および配置することと、
・前記接触面（１８５）を、前記第３の移動軸（１７７）の周りを回転可能であるように構成および配置する（２２５）ことと、
・前記接合ヘッド（１１０）上に配設された第２の係合部材（１２５）を提供すること（２３５）と、
・第２の調整位置（１３７）に第２の調整部材（１３５）を提供すること（２４５）であって、
前記第２の調整部材（１３５）が、
前記第２の係合部材（１２５）と堅固に係合するように構成および配置されている、第２の調整部材を提供することと、
・前記接合ヘッド（１１０）を前記第２の調整位置（１３７）に移動させる（２５５）ことと、
・前記第２の係合部材（１２５）を前記第２の調整部材（１３５）と堅固に係合する（２６５）ことと、
・前記接合ヘッド（１１０）を、
前記第１の移動軸（１７０）に沿って、または前記第２の移動軸（１７５）に沿って、または前記第３の移動軸（１７７）に沿って、前記第２の調整部材（１３５）に対して変位させること（２７０）により、前記接触面（１８５）が前記第３の移動軸（１７７）の周りを回転するようにする、変位させることと、
・前記第２の係合部材（１２５）を前記第２の調整部材（１３５）から解放する（２８５）ことと、
・前記接合ヘッド（１１０）を前記基板位置（１６５）に変位させる（２９０）ことであって、
前記接合ヘッド（１１０）が、前記第３の運動軸（１７７）の周りでの前記接触面（１８５）の前記回転を維持する（２０５）、変位させることと、をさらに含む、請求項１に記載の方法。
【請求項４】
前記接合ヘッド（１１０）が、
弾性部材、ばね部材、磁気部材、電気部材、電磁部材、真空部材、ガス動力部材、摩擦部材、油圧部材、誘導部材、またはこれらの任意の組み合わせを使用して、前記接触面（１８５）の回転を維持する（２０３、２０５）ように構成および配置されている（２１５）、請求項１または２に記載の方法。
【請求項５】
前記方法が、
・前記第１の移動軸（１７０）および／または第２の移動軸（１７５）および／または第３の移動軸（１７７）の周りでの前記接触面（１８５）の前記回転を測定するように構成および配置された傾き測定デバイスを提供する（２０７）ことと、
・前記第１の移動軸（１７０）に沿った変位の程度を決定して、第１の移動軸（１７０）および／または第２の移動軸（１７５）および／または第３の移動軸（１７７）の周りでの所望の回転を得るように構成および配置されたプロセッサを提供することと、
・前記プロセッサを、前記接触面（１８５）の前記所望の傾斜に到達したときに、前記第１の移動軸（１７０）に沿った変位を停止するようにさらに構成および配置することと、を含む（２００）、請求項１〜４のいずれか一項に記載の方法。
【請求項６】
前記方法が、
・前記基板（１６０）の傾斜を測定するように構成および配置された傾斜センサを提供することと、
・前記基板の前記測定された傾斜を使用して前記第１の移動軸（１７０）に沿った前記変位の程度を決定し、前記第１の移動軸（１７０）および／または第２の移動軸（１７５）および／または第３の移動軸（１７７）の周りでの所望の回転を得るように構成および配置されたプロセッサを提供することと、
をさらに含む（２００）、請求項１〜５のいずれか一項に記載の方法。
【請求項７】
前記方法が、
・前記接合ヘッド支持キャリア（１０１）および／または前記接合ヘッド取り付け具（１０２）および／または前記接合ヘッド（１１０）および／または前記受容部および／または前記接触面（１８５）の温度および／または相対温度を測定するように構成および配置された温度センサを提供することと、
・前記前記接触面の測定された温度（１８５）を使用して前記第１の移動軸（１７０）に沿った前記変位の程度を決定し、前記第１の移動軸（１７０）および／または第２の移動軸（１７５）および／または第３の移動軸（１７７）の周りでの所望の回転を得るように構成および配置されたプロセッサを提供することと、
をさらに含む（２００）、請求項１〜６のいずれか一項に記載の方法。
【請求項８】
前記方法が、
・前記基板（１６０）および／または基板基部の温度および／または相対温度を測定するように構成および配置された温度センサを提供することと、
・前記基板（１６０）の前記測定された温度を使用して前記第１の移動軸（１７０）に沿った前記変位の程度を決定し、
前記第１の移動軸（１７０）および／または第２の移動軸（１７５）および／または第３の移動軸（１７７）の周りでの所望の回転を得るように構成および配置されたプロセッサを提供することと、
をさらに含む（２００）、請求項１〜７のいずれか一項に記載の方法。
【請求項９】
前記ピックアップ部材（１８０）の前記接触面（１８５）での前記回転を制御する方法であって、
・前記基板（１６０）および／または前記接触面（１８５）および／または前記基板（１６０）に対する接合された部品（１５０）に対する前記接合ヘッド（１１０）の傾斜および／または回転を測定することであって、
少なくとも前記接合ヘッドの位置が、基準マークによって光学的に検出可能である、測定することと、
・前記測定値からの前記傾斜および／または回転の補償のための補償の程度を決定することと、
・前記接合ヘッド（１１０）を前記補償の前記程度で補償される第１の位置に移動させることと、
・前記第１の係合部材（１２０）を前記第１の調整部材（１３０）と堅固に係合する（２６０）ことと、
・第１の補償を適用することと、
・前記接合ヘッド（１１０）を前記補償の程度で補償される第２の位置に移動させることと、
・前記第２の係合部材（１２５）を前記第１の調整部材（１３５）と堅固に係合すること（２６５）と、
・第２の補償を適用することと、を含み、
前記補償の程度を決定するために基準マークが使用される、方法。
【請求項１０】
基板位置（１６５）上に提供された基板（１６０）上に部品（１５０）を取り付けるための装置（１００）であって、
前記装置が、
・前記基板（１６０）に対して第１の移動軸（１７０）および第２の移動軸（１７５）に沿って変位可能な接合ヘッド（１１０）であって、
前記第２の移動軸（１７５）が、前記第１の移動軸（１７０）に対して実質的に直角である、接合ヘッドと、
・接触面（１８５）を有するピックアップ部材（１８０）であって、
前記ピックアップ部材（１８０）が、前記接合ヘッド（１１０）上に配設されており、前記接触面（１８５）が、
部品（１５０）に解放可能に装着可能であるように構成および配置されており、前記接触面（１８５）が、前記第１の移動軸（１７５）の周りを回転可能であるようにさらに構成および配置されている、ピックアップ部材（１８０）と、
・前記接合ヘッド（１１０）上に配設された第１の係合部材（１２０）と、
・前記第１の係合部材（１２０）との堅固な係合のための、第１の調整位置（１３２）内の第１の調整部材（１３０）と、を備え、
さらに、
・前記接合ヘッド（１１０）が、前記第１の調整位置（１３２）に変位可能であり、
前記第１の係合部材（１２０）が、前記第１の調整部材（１３０）と堅固に係合されており、
・係合中、前記接合ヘッド（１１０）が、前記第１の移動軸（１７０）に沿ってまたは前記第２の移動軸（１７５）に沿って、
前記第１の調整部材（１３０）に対して変位可能であることにより、前記接触面（１８５）が前記第１の移動軸（１７５）の周りを回転するようにし、
・前記第１の係合部材（１２０）が、取り外し可能であるか、または
前記第１の調整部材（１３０）から繰り返し可能に取り外し可能であり、
・前記接合ヘッド（１１０）が、前記基板位置（１６５）に向かって変位可能であり、前記接触面（１８５）が、前記第１の移動軸（１７５）の周りでの回転を維持する（２０３）ように構成および配置されている、装置。
【請求項１１】
・前記接合ヘッド（１１０）が、前記基板（１６０）に対して第３の移動軸（１７７）に沿って変位可能であるようにさらに構成および配置され、
前記第３の移動軸（１７７）が、前記第１の移動軸（１７０）に実質的に直角であり、前記第２の移動軸（１７５）に実質的に直角であり、
・前記接触面（１８５）が、前記第３の移動軸（１７７）の周りを回転可能であるようにさらに構成および配置されており、
・前記第１の係合部材（１２０）が、前記接合ヘッド（１１０）を、
前記第１の移動軸（１７５）に沿って、または前記第２の移動軸（１７５）に沿って、または前記第３の移動軸（１７７）に沿って、前記第２の調整部材（１３０）に対して変位させて、前記第３の移動軸（１７７）の周りを回転させることにより、前記接触面（１８５）が前記第３の移動軸（１７７）の周りを回転するようにさらに構成および配置されており、
・前記接合ヘッド（１１０）が、前記第１の調整部材（１３０）からの解放（２８０）後に、前記第３の移動軸の周りでの前記接触面（１８５）の回転（２０５）を維持するようにさらに構成および配置されている、請求項１０に記載の装置。
【請求項１２】
・前記接合ヘッド（１１０）が、
前記基板（１６０）に対して前記第３の移動軸（１７７）に沿って変位可能であるようにさらに構成および配置され、前記第３の移動軸（１７７）が、前記第１の移動軸（１７０）に実質的に直角であり、
前記第２の移動軸（１７５）に実質的に直角であり、
・前記接触面（１８５）が、
前記第３の移動軸（１７７）の周りを回転可能であるようにさらに配置されており、
前記装置（１００）が、
・前記接合ヘッド（１１０）上に配設された第２の係合部材（１２５）と、
・第２の調整位置（１３７）内の第２の調整部材（１３５）であって、前記第２の調整部材（１３５）が、前記第２の係合部材（１２０）と堅固に係合するように構成および配置されている、第２の調整部材を、をさらに備え、
さらに、
・前記接合ヘッド（１１０）が、前記第２の調整位置（１３７）に変位可能であり、
前記第２の係合部材（１２５）が、
前記第２の調整部材（１３５）と堅固に係合されており、
・前記接合ヘッド（１１０）が、
前記第１の移動軸（１７０）に沿って、または前記第２の移動軸（１７５）に沿って、または前記第３の移動軸（１７７）に沿って、前記第２の調整部材（１３５）に対して変位可能であることにより、前記接触面（１８５）が前記第３の移動軸（１７７）の周りを回転するようにし、
・前記第２の係合部材（１２５）が、前記第２の調整部材（１３５）から解放可能または再解放可能であり、
・前記接合ヘッド（１１０）が、前記第２の調整部材（１３０）からの解放（２８５）後に、前記第３の移動軸（１７７）の周りでの前記接触面（１８５）の回転を維持する（２０３）ようにさらに構成および配置されている、
請求項１０に記載の装置。
【発明の詳細な説明】
【技術分野】
【０００１】
本発明は、請求項１に記載の基板位置に設けられた基板上にデバイスを取り付ける方法および請求項９に記載の基板位置に提供された基板上にデバイスを取り付けるための装置に関する。
【背景技術】
【０００２】
基板上に部品を取り付けるための最先端の方法およびデバイスは、多種多様な用途のための部品を取り付けることを可能にするか、または簡略化するために、十分に幅広で、高さが高いことが知られている。
【０００３】
特許請求の範囲で使用される「デバイス」という用語は、電子デバイスおよび／または光学デバイス、特に基板上の半導体チップ（ダイとも呼ばれる）を指す。
【０００４】
半導体産業における部品の取り付けは、当業者には「ダイボンダ」またはピックアンドプレースマシンとして知られている半導体組み立て機械の助けを借りて行われる。デバイスは、多くの場合、所定の基板位置で異なる基板上に配置および接合することができる半導体チップである。
【０００５】
部品は、クランプ把持具または吸引要素などのピックアップ部材によってピックアップされる。ピックアップ部材を基板上に移動させ、部品を基板上の所定の位置に配置する。ピックアップ部材は、その長手方向軸の周りを回転することができるように、接合ヘッドに取り付けられてもよい。接合ヘッドは、Ｘ、Ｙ、およびＺの３つの空間方向における必要な移動を可能にするピックアンドプレースシステムに取り付けられる。接合ヘッドは、特別な装着ブラケットによって接合ヘッドに取り付けられる。実際には、Ｚ方向は垂直方向に対応し、ＸＹ平面は水平平面に対応する。ＸＹ平面における部品の非常に正確な位置決めに加えて、部品が平面的に平行に配置され、基板上に剪断力がないようにすることが非常に重要である。部品の傾斜した配置は、保持力の低減、電気接点の不備または欠損、部品と基板との間の不規則な熱伝達、または部品の損傷などの望ましくない特性をもたらし得る。剪断力は、半導体チップが滑る原因となり得る。
【発明の概要】
【発明が解決しようとする課題】
【０００６】
ピックアップ部材の傾斜を制御するための多くの異なる構成が知られている。本発明の目的は、基板からの部品の配置中に改善された傾斜制御を可能にすることである。
【０００７】
加えて、本発明は、製造中に傾き制御の単純かつ安価な可能性を提供するタスクを有し、これは、単純な取り扱いを維持しながら、使用中の接合ヘッドのための可能な限り長く、ほぼ摩耗のない傾斜機構を有する。
【課題を解決するための手段】
【０００８】
本発明の第１の態様では、基板上にデバイスを取り付けるためのプロセスが提供され、このプロセスは、基板位置において基板基部上に基板を提供する。手順は、以下のステップを含む：基板に対して第１の移動軸および第２の移動軸に沿って変位可能な接合ヘッドを提供することであって、第２の移動軸が、第１の移動軸に実質的に直角である、接合ヘッドを提供することと、接触面を有する受容要素としてのピックアップ部材を提供することであって、ピックアップ部材が、接合ヘッド上に配設され、接触面が、部品に解放可能に装着可能であるように構成および配置され、接触面が、第１の移動軸の周りを回転可能であるようにさらに構成および配置されている、ピックアップ部材を提供することと、接合ヘッド上に配設された第１の係合部材を提供することと、第１の係合部材との堅固な係合のために、第１の調整位置に第１の調整部材を提供することと、接合ヘッドを第１の調整位置に移動させることと、第１の係合部材を第１の調整部材と堅固に係合することと、接合ヘッドを、第１の移動軸に沿ってまたは第２の移動軸に沿って第１の調整部材に対して変位させることにより、接触面が第２の移動軸の周りを回転するようにすることと、第１の調整部材から第１の係合部材を解放することと、接合ヘッドを基板位置に向けて変位させることであって、接合ヘッドが、第２の移動軸の周りでの接触面の回転を維持する、変位させること。
【０００９】
従来の駆動装置および／またはアクチュエータとの傾き補正、ならびにそれらのそれぞれの運動軸に沿った移動を提供することによって、部品の組み立てはかなり簡素化され得る。特に、接合ヘッド（およびそれに装着された任意のパーツまたは要素）の複雑さが低減され得る。
−このことは、具体的にはデバイス自体のコストを削減し得る。加えて、接合ヘッド（および接合ヘッドに装着された任意のパーツまたは要素）は、従来の装置で可能であるよりもはるかに速く移動できるように、重量を低減させてもよい。回転補正は、機械的原理に従ってのみ実行することができ、そのような受動的な実施形態は、高い程度の複雑さおよび／または重量の低減を確実にする。
【００１０】
本発明のさらなる態様では、基板上にデバイスを取り付けるための方法が提供され、本方法は、以下の提供されたステップをさらに備える：接合ヘッドを、基板に対して第３の移動軸に沿って変位可能であるように構成および配置することであって、第３の移動軸が、第１の移動軸に実質的に直角であり、第２の移動軸に実質的に直角である、構成および配置することと、接触面を、第３の移動軸の周りを回転可能であるように構成および配置することと、接合ヘッドを、第１の移動軸に沿って、または第２の移動軸に沿って、または第３の移動軸に沿って、第１の調整部材に対して変位させることであって、接触面が第３の移動軸の周りを回転するようにする、変位させることと、第１の係合部材を第１の調整部材から解放した後に、接合ヘッドを基板位置に変位させることであって、接合ヘッドが、第３の移動軸の周りでの接触面の回転を維持する、変位させることと。
【００１１】
位置決め後、部品は、好ましくは、２つの移動軸の周りに必要な回転の程度を提供することによって、基板位置において基板に平行な平面に取り付けられ、動作中の傾斜問題のリスクが大幅に低減される可能性がある。
【００１２】
本発明のさらなる態様では、基板上にデバイスを取り付けるための方法が提供され、本方法は、以下の提供されたステップをさらに含む：接合ヘッドを、基板に対して第３の移動軸に沿って変位可能であるように構成および配置することであって、第３の移動軸が、第１の移動軸に実質的に直角であり、第２の移動軸に実質的に直角である、構成および配置することと、接触面を、第３の移動軸の周りを回転可能であるように構成および配置することと、接合ヘッド上に配設された第２の係合部材を提供することと、第２の調整位置に第２の調整部材を提供することであって、第２の調整部材が、第２の係合部材と堅固に係合するように構成および配置されている、第２の調整部材を提供することと、接合ヘッドを第２の調整位置に移動させること、第２の係合部材を第２の調整部材と堅固に係合させること、接合ヘッドを、第１の移動軸に沿って、または第２の移動軸に沿って、または第３の移動軸に沿って、第２の調整部材に対して移動させることであって、接触面が、第３の移動軸の周りを回転する、移動させることと、第２の係合部材を第２の調整部材から解放することと、接合ヘッドを基板位置に移動させることであって、接合ヘッドが、第３の移動軸の周りでの接触面の回転を維持する、移動させること。
【００１３】
２つの係合部材、２つの調整部材、および２つの調整位置を提供することによって、本発明の好ましい実装形態は、第１の傾斜の設定から第２の傾斜の設定に移動するのに必要な時間さえ著しく短縮され得るような方法で達成することができる。
【００１４】
これはまた、移動するより低い質量、すなわち、接合ヘッドにも起因し、このことは接合ヘッドにおける追加のサーボモータの回避から生じる。
【００１５】
好ましい方法では、接合ヘッドは、弾性部材、ばね部材、磁気部材、電気部材、電磁部材、真空部材、ガス動力部材、摩擦部材、油圧部材、誘導部材、またはこれらの任意の組み合わせを使用して接触面の回転を維持するように構成および配置される。
【００１６】
本発明の別の態様において、物品データを入力するための好ましい方法は、依然として、以下のステップを伴う：第１および／または第２の移動軸および／または第３の移動軸の周りでの接触面の回転を測定するように構成および配置された傾斜測定デバイスを提供することと、第１の移動軸に沿った変位の程度を決定して、第１および／または第２の移動軸および／または第３の移動軸の周りでの所望の回転を得るように構成および配置されたプロセッサを提供することと、接触面の所望の傾斜に到達したときに、第１の移動軸に沿った変位を停止するように、プロセッサをさらに構成および配置すること。
【００１７】
本発明の別の態様では、物品データを入力するための好ましい方法は、なおも以下のステップを伴う：基板の傾斜を測定するように構成および配置された傾斜位置センサを提供することと、基板の測定された傾斜を使用して第１の移動軸に沿って変位の程度を決定し、第１の移動軸および／または第２の移動軸の周り、および／または第３の移動軸の周りでの所望の回転を得るようにように構成および配置されたプロセッサを提供すること。
【００１８】
本発明の別の態様では、好ましい温度検知方法は、好ましくは機械環境においても、以下のステップを引き続き含む：接合ヘッド受容キャリアおよび／または接合ヘッド受容および／または接合ヘッドおよび／またはセンサおよび／または接触面の温度および／またはそれぞれの温度を測定するように構成および配置された温度センサを提供することと、接触面の測定された温度を使用して第１の移動軸に沿った変位の程度を決定し、第２の移動軸および／または第３の移動軸の周りでの所望の回転を得るように構成および配置されたプロセッサを提供すること。
【００１９】
本発明の別の態様では、好ましい温度検知方法は、好ましくは機械環境においても、以下のステップを引き続き含む：基板（１６０）および／または基板基部の温度および／またはそれぞれの温度を測定するように構成および配置された温度センサを提供することと、基板の測定された温度を使用して第１の移動軸に沿った変位の程度を決定し、第１の移動軸および／または第２の移動軸および／または第３の移動軸の周りでの所望の回転を得るように構成および配置されたプロセッサを提供すること。
【００２０】
本発明は、温度センサによる温度測定および／またはレーザー基部もしくは赤外線基部の温度測定などの放射線による非接触温度測定を伴う。
【００２１】
本発明の別の態様において、ピックアップ部材の接触面の回転を制御するための好ましい方法は、提供される以下のステップを引き続き含む：基板に対する接合ヘッドおよび／または接触面および／または接合された部品の傾斜および／または回転を測定することであって、少なくとも接合ヘッドの位置は、基準マークによって光学的に検出され得る、測定することと、測定値からの傾斜および／または回転の補償のための補償変数を決定することと、接合ヘッドを補償変数で補償される第１の位置に移動させることと、前記第１の係合部材を前記第１の調整部材と堅固に係合させることと、第１の補償を実施することと、接合ヘッドを補償サイズで補償される第２の位置に移動させることと、第２の係合部材を第１の調整部材と堅固に係合させることと、第２の補償を実施すること。
【００２２】
加えて、基板の表面または基板ハンドラの表面に対する接合ヘッドの傾きを再測定し、追加の補償のためにそれを使用することが有利であり得る。
【００２３】
傾き、すなわち、基板に対する接合ヘッドの傾斜および／または回転の測定は、好ましくは、光学画像認識方法で行われ、それによって、好ましくは、光学基準マーク、例えば、接合ヘッドに装着されたいわゆるフィデューシャルが、カメラによって検出され、参照のために使用される。このようにして、取り付け中の移動シーケンス中に有利な連続監視も可能である。したがって、例えば、機械的遊びまたは機械的偏差の単純な誤差伝播によって引き起こされる状況関連の補償が利用可能である。
【００２４】
本発明の別の態様において、デバイスは、デバイスを基板上に取り付けるために提供される。本デバイスは、本明細書に記載される手順を実施するように構成および配置される。
【００２５】
基板位置に設けられた基板上にデバイスを取り付けるためのデバイスの好ましい構成は、第１の移動軸および第２の移動軸に沿って基板に対して変位可能な接合ヘッドであって、第２の移動軸が、第１の移動軸に対して実質的に直角であり、第２の移動軸が、第１の移動軸に対して実質的に垂直である、接合ヘッドと、接触面を有するピックアップ部材であって、ピックアップ部材が、接合ヘッド上に配設され、接触面が、部品に解放可能にまたは再解放可能に装着可能であるように構成および配置され、接触面が、第１の移動軸の周りを回転可能であるようにさらに構成および配置されている、ピックアップ部材と、接合ヘッド上に配設された第１の係合部材と、第１の係合部材との堅固な係合のための第１の調整位置内の第１の調整部材と、を備える。
【００２６】
加えて、基板上にデバイスを取り付けるためのデバイスの好ましい構成は、第１の変位位置に変位可能な接合ヘッドを含む、第１の係合部材は、第１の変位部材と堅固に係合され、係合中、接合ヘッドは、第１の移動軸に沿って、または第２の移動軸に沿って、第１の変位部材に対して変位可能であり、接触面は、第１の移動軸の周りを回転する。
【００２７】
加えて、デバイスの好ましい実施形態は、第１の調整部材から解放可能または再解放可能である第１の係合部材を含む。
【００２８】
加えて、デバイスの好ましい実行の形態は、基板位置に変位可能な接合ヘッドを含み、接触面は、第１の移動軸の周りでの回転を維持するように構成および配置される。
【００２９】
基板上にデバイスを取り付けるためのデバイスの好ましい構成では、接合ヘッドは、第３の移動軸に沿って基板に対して変位可能であるようにさらに構成および配置され、第３の移動軸は、第１の移動軸に実質的に直角であり、第２の移動軸に実質的に直角である。
【００３０】
基板上にデバイスを取り付けるためのデバイスの好ましい実施形態では、接触面は、第３の移動軸の周りを回転可能であるようにさらに構成および配置される。
【００３１】
基板上にデバイスを取り付けるためのデバイスの好ましい構成では、第１の係合部材は、第１の移動軸に沿って、または第２の移動軸に沿って、または第３の移動軸に沿って第２の調整部材に対して接合ヘッドを摺動させるようにさらに構成および配置され、接触面は、第３の移動軸の周りを回転する。
【００３２】
基板上にデバイスを取り付けるためのデバイスの好ましい実施形態では、接合ヘッドは、第１の調整部材からの係合解除後に、第３の移動軸の周りでの接触面の回転を維持するようにさらに構成および配置される。
【００３３】
基板上にデバイスを取り付けるためのデバイスの好ましい構成では、接合ヘッドは、第３の移動軸に沿って基板に対して変位可能であるようにさらに構成および配置され、第３の移動軸は、第１の移動軸に実質的に直角であり、第２の移動軸に実質的に直角である。
【００３４】
基板上にデバイスを取り付けるためのデバイスの好ましい構成では、接触面は、第３の移動軸に沿って回転可能であるようにさらに配置され、デバイスは、接合ヘッド上に配設された第２の係合部材と、第２の調整位置内の第２の調整部材とをさらに備え、第２の調整部材は、第２の係合部材と堅固に係合するように構成および配置され、接合ヘッドは、第２の調整位置にさらに変位可能であり、第２の係合部材は、第２の調整部材と堅固に係合され、接合ヘッドは、第１の移動軸に沿って、または第２の移動軸に沿って、または第３の移動軸に沿って第２の調整部材に対して変位可能であり、接触面は、第３の移動軸の周りを回転し、第２の係合部材は、第２の調整部材から解放可能であり、接合ヘッドは、第２の調整部材からの解放後、第３の移動軸の周りでの接触面の回転を維持するようにさらに構成および配置される。
【００３５】
取り付けるための好ましい方法のさらなる利点および特性
基板上のデバイス、および基板上のデバイスを取り付けるための好ましいデバイスが、以下の図に示される。
【図面の簡単な説明】
【００３６】
【図１】本発明の意味における部品を取り付けるためのデバイスの実施形態を示す。
【図２】第２の移動軸の周りを回転するように構成および配置された接合ヘッドの例を示す。
【図３Ａ−３Ｄ】基板上にデバイスを取り付けるための図２からの構成および配置の使用を示す。
【図４Ａ−４Ｂ】図２に示される実施形態の修正バージョンを表す。
【図５】本発明の意味における基板上に部品を取り付ける方法を示す。
【図６】係合および調整部材としてのラックおよびピニオンの組み合わせを有する傾斜調整のためのさらなる実施形態を示す。
【図７】２つの調整位置における係合および調整部材としてのラックおよびピニオンの組み合わせとしての本発明の別のバージョンを示す。
【発明を実施するための形態】
【００３７】
図１は、本発明による方法２００を理解するために必要とされる、ダイボンダまたは組み立て機械などの組み立て装置１００の形態で部品１５０を組み立てるための装置１００の好ましい実施形態を示す。方法２００は、電子部品または光学部品１５０（図示せず）、特に半導体チップを基板１６０上に取り付けるために使用される。組み立て装置１００は、吸引素子またはクランプ把持具などの受容要素として、ピックアップ部材１８０が装着される移動可能な接合ヘッド１１０を備える。組み立て装置１００はまた、基板１６０が置かれ、保持される基板基部１９０も含む。
【００３８】
組み立て装置１００は、接合ヘッド１１０および／またはピックアップ部材１８０が第１の移動軸１７０（ここでは実質的に垂直方向またはＺ方向として表される）に沿って基板１６０に対して変位され得るように構成および配置される。典型的には、装置は、接合ヘッド１１０および／またはピックアップ部材１８０の長手方向軸１４０が実質的に垂直方向またはＺ方向１７０と実質的に一致するように構成および配置される。
【００３９】
組み立て装置１００は、接合ヘッド１１０および／またはピックアップ部材１８０が第２の移動軸１７５（ここでは実質的に水平方向またはＸ方向として示される）に沿って基板１６０に対してシフトされ得るようにさらに構成および配置される。第２の移動軸１７５は、第１の移動軸１７０に実質的に直角である。
【００４０】
組み立て装置１００は、第３の移動軸１７７（ここでは実質的に水平方向またはＹ方向として示される）に沿って、接合ヘッド１１０および／またはピックアップ部材１８０が基板１６０に対してシフトできるようにさらに構成および配置される。第３の移動軸１７７は、第１の移動軸１７０にほぼ直角に延在し、
第２の移動軸１７５にも実質的に直角に延在する。示される装置１００では、ＸＹ平面は、第２の移動軸１７５および第３の移動軸１７７によって広がっている。
【００４１】
装置１００の構成は、通常、運動のために電気的および／または空気的に駆動される軸を使用して相対運動を提供し、ここでピックアップ部材１８０および／または基板１６０は、１つ以上の移動軸１７０、１７５、１７７に沿って移動するように構成および配置される。相対運動が必要とされるため、運動は、基板基部１９０、ピックアップ部材１８０、接触面１８５、接合ヘッド１１０、残りの装置１００への接合ヘッド１１０の取り付け点、またはおれらの任意の組み合わせのために構成されてもよい。
【００４２】
そのような移動軸１７０、１７５、１７７は、ガイド（図示せず）および移動可能な部分、例えば、ガイド内で移動可能なキャリッジから構成されてもよい。キャリッジは、例えば、空気軸受または玉軸受けによって、異なる方法で支持されてもよい。ガイドと移動可能なスライドとの間に一定の弾性が存在する場合があり、これは典型的には、玉軸受けよりも空気軸受けでやや大きい。各移動軸に対して、１つ以上のガイドキャリッジの組み合わせは、装置１００内の異なる点に提供されてもよい。各移動軸はまた、関連するガイドに沿って関連するスライドを移動させるための１つ以上の駆動装置（図示せず）から構成することもできる。
【００４３】
受容要素としての接合ヘッド１１０とピックアップ部材１８０との間の相対変位はまた、１つ以上の移動軸１７０、１７５、１７７に提供することもできる。追加的または代替的に、デバイス１００は、ピックアップ部材１８０と、その長手方向軸１４０の周りの接合ヘッド１１０との間の相対回転を可能にするように構成されてもよい。接合ヘッド１１０におけるピックアップ部材１８０の軸受けは、空気軸受けとして提供されてもよい。
【００４４】
ピックアップ部材１８０は、基板位置１６５（図示せず）において基板１６０上に位置決めされる間、部品１５０への解放可能または再解放可能な装着のための接触面１８５（図示せず）から構成される。
【００４５】
部品１５０が基板１６０上に位置決めされた（または配置された）後、接触領域１８５は、典型的には、１つ以上の接合動作中のデバイスの移動を制限するために使用される。基板１６０上の接触面１８５によって加えられる力は、通常、保持力と呼ばれる。典型的には、同じ接触領域１８５が、接合プロセスの各ステップに使用され、各ステップは、接合のタイプに応じて追加の接触領域１８５を使用する。
【００４６】
接合ヘッド１１０およびピックアップ部材１８０は互いに接続され、ピックアップ部材１８０は接触面１８５を含むので、当業者には、接触面１８５の位置は、対応する変換ルールを有する接合ヘッド１１０および／またはピックアップ部材１８０の位置から導出されてもよく、またはその逆であってもよいことが明らかであろう。
【００４７】
好ましくは、部品１５０は、それらのそれぞれの基板位置１６５において基板１６０に対して実質的に平行に位置決めされる。これは、部品１５０が、好ましくは、基板位置１６５が位置するＸＹ平面に実質的に平行なＸＹ平面内に位置決めされることを意味する。平行状態からの逸脱は、傾斜、傾き、またはねじれと呼ばれ、部品１５０の傾き、ねじれ、または傾斜した位置決めは、保持力の低減および／または保持力、電気接点の不備もしくは欠落、部品１５０と基板１６０との間の不規則な熱伝達、または部品１５０への損傷などの望ましくない特性をもたらし得る。剪断力は、部品１５０を滑らせることがあり、これは位置決め誤差につながり得る。極端な場合、部品が正常に機能しない、欠陥がある、または信頼性が低下している可能性がある。
【００４８】
傾斜調整を可能にするために、装置１００は、接合ヘッド１１０および／またはピックアップ部材１８０が、基板１６０に対して少なくとも１つの水平軸（第２の移動軸１７５および／または第３の移動軸１７７）の周りを回転することができるように、さらに構成および配置される。一般に、最も高い程度の制御は、多くの運動および回転の程度（自由の程度）によって達成されるが、これは通常、装置１００の複雑さを増加させる。
【００４９】
従来の配置機械では、接触面１８５の傾斜は、オペレータによって手動で調整される。つまり、問題、例えば、部品１５０および／または基板１６０の破損が検出された後に、デバイスの動作が中断され、傾斜は、例えば調整ネジで手動で調整される。
【００５０】
適切な制御および／または測定により、この１つ以上の回転角度は、傾き誤差を最小化するために、基板１６０に対する接触面１８５の向きを制御するために使用されてもよい。各回転の程度には、１つ以上の駆動装置またはアクチュエータが必要である。加えて、必要な精度および制御を確保するために、１つ以上の測定機器などの測定システムが必要とされ得る。相対運動が必要とされるため、回転は、基板基部１９０、ピックアップ部材１８０、接合ヘッド１１０、接触面１８５、装置１００の残りの部分に対する接合ヘッド１１０装着点、またはこれらの任意の組み合わせに対して構成されてもよい。
【００５１】
このような追加の駆動装置および測定システムは、接合ヘッド１１０および／またはピックアップ部材１８０の重量を増大させ、これは、典型的にはＵＰＨ（１時間あたりの単位）で測定される最大速度を制限し得るか、または増大した慣性を補償するためにより強力な駆動装置を必要とし得る。接合ヘッド１１０および／またはピックアップ部材１８０のサイズはまた、要素が追加されるにつれて増大してもよい。
【００５２】
例えば、米国特許第ＵＳ８３８７８５１Ｂ１号は、接合ヘッドに直接取り付けられたアクティブアクチュエータによる傾斜調整を記載している。米国特許第８３８７８５１Ｂ１号の図５に示されるように、傾斜調整は、いくつかのアクチュエータおよびエンコーダによって実装される。
【００５３】
本発明に応じて、改良された傾き調整が装置１００に提供され、これにより、接合ヘッド１１０および／またはピックアップ部材１８０の重量および／またはサイズの増大を同時に最小化する自動調整が可能になる。加えて、設定時間は短縮されてもよく、これにより装置１００の動作時間が増加する。
【００５４】
図２は、第２の移動軸１７５の周りを回転するように配置される接合ヘッド１１０の例を示す。
【００５５】
図２の左図は、接合ヘッド１１０およびピックアップ部材１８０を概略的に示しており、それらの長手方向軸１４０も、可能な相対回転を示すように示されている。右側には、座標系が示され、第１の移動軸１７０（Ｚ）は垂直方向に示され、第３の移動軸１７７（Ｙ）は水平方向に示される。この例では、接合ヘッド１１０は、第２の移動軸１７５（Ｘ）に沿って見られ、すなわち、第２の移動軸１７５（Ｘ）はページ（紙平面）の中に入る。
【００５６】
この例では、接合ヘッド１１０は、第２の移動軸１７５（Ｘ）の周りを回転するように構成および配置され、この例では、接合ヘッド１１０は、接合ヘッド装着具１０５を介して残りの装置１００に枢動可能に接続され、枢動点１１５の周りを回転することを可能にする。
【００５７】
装置１００は、接合ヘッド１１０に装着された第１の係合部材１２０と、第１の調整部材１２０を堅固に係合するための第１の調整位置１３２（図１に示される）における第１の調整部材１３０（図１に示される）と、をさらに備える。
【００５８】
第１の調整位置１３２は、接合ヘッド１１０が利用可能な運動軸または自由の程度で到達することができる任意の場所に位置していてもよい。
【００５９】
装置１００は、接合ヘッド１１０が第１の調整位置１３２に移動され得るようにさらに構成および配置され、第１の係合部材１２０は、第１の調整部材１３０と堅固に係合する。
【００６０】
これは、接合ヘッド１１０が第１の調整位置１３２に移動されると、第１の係合部材１２０および第１の調整部材１３０は、それらが堅固にオンおよびオフに切り替えられるように構成および配置されることを意味する。第１の係合部材１２０および第１の調整部材１３０は、第１の対の係合部材を形成する。例えば、ラックおよびピニオンの対、ボールおよびソケット、フックおよびガイド、ボルトおよびナット、突起および凹部、ボルトおよび穴の対、北磁極および南磁極、または突起およびクランプの対として設計されてもよい。２対以上の係合部材を使用することもできる。
【００６１】
任意選択で、各係合部材の対は、機械的原理のみを使用するように構成されてもよい。この受動的な実施形態は、電気もしくは空気圧供給装置および／または駆動装置に起因する追加の重量および複雑さを回避することができる。
【００６２】
当業者であれば、係合対の部材が、その対の機能性に影響を与えることなく、それらの機械的構成を交換し得ることを認識するであろう。例えば、ラックは、調整部材としてピニオンと組み合わせて係合部材として含まれてもよく、ラックは、係合部材としてピニオンと組み合わせて調整部材として含まれてもよい。
【００６３】
堅固な係合とは、係合が必要な傾き調整を実施するのに十分な堅固性および持続時間を有し、特に係合対のために選択された機械的構成、選択された傾き調整機構（以下を参照）、必要な調整速度、必要な調整精度、および接合ヘッド１１０の質量に依存することを意味する。
【００６４】
図２に示される第１の係合部材１２０は、溝（図示せず）内と堅固に係合するように選択される円筒形ピンである。
【００６５】
装置１００は、係合中に、接合ヘッド１１０が、第１の移動軸１７０に沿って第１の調整位置に対して変位可能であり、接触面１８５が第２の移動軸１７５の周りを回転するようにさらに構成および配置され、第１の係合部材１２０が第１の調整部材１３０から解放されたときに、接合ヘッド１１０が基板位置１６５に変位可能であり、接触面１８５が第２の移動軸１７５の周りでの回転が維持されるように構成および配置されるように、さらに構成および配置される。
【００６６】
図２の例に示されるように、傾き位置阻止部１１７は、第２の移動軸１７５の周りでの回転、すなわち、第２の移動軸１７５の周りでの傾き調整を維持するために提供される。傾き位置阻止部１１７はまた、第２の移動軸１７５の周りでの望ましくない傾き移動を阻止するとみなすことができる。
【００６７】
摩擦ブレーキ、油圧ブレーキ、空気圧ブレーキ、ねじ山、電磁ブレーキ、電気ブレーキ、誘導ブレーキ、ドライバー、磁気ブレーキ、またはこれらの任意の組み合わせなど、任意の標準的な運動係止具が使用されてもよい。弾性部材を使用して、適切な予負荷を生成することもできる。
【００６８】
任意選択で、傾き位置阻止部１１７は、機械的原理のみを使用するように構成されてもよい。この受動的な実施形態は、電気もしくは空気圧供給装置および／または駆動装置に起因する追加の重量および複雑さを回避することができる。
【００６９】
図２の例では、装置１００は、対応する力が第３の移動軸１７７に沿って第１の係合部材１２０の先端（遠位端）に印加されたときに、接合ヘッド１１０が枢動１１５の周りを（および第２の移動軸１７５の周りを）回転できるように構成および配置される。
【００７０】
本発明の場合、接触面１８５の傾斜は、部品１５０が基板１６０上に取り付けられる前に有利に調整され、その結果、接触面１８５の傾斜は、それぞれの基板位置１６５における基板１６０の傾斜と実質的に等しくなる。図２の例は、接合ヘッド１１０の傾きを制御するための構成および配置を示すが、傾き設定および／または設定は、接触面１８５の必要な傾きを達成するように選択される。図２は、接合ヘッド１１０の端部に装着され、基板１６０に最も近接して働くピックアップ部材１８０を示す。ピックアップ部材１８０は、接合ヘッド１１０から最も遠いピックアップ部材１８０の端部にある接触面１８５から構成される。したがって、当業者は、装置１００の関連する寸法の知識から、接合ヘッド１１０の傾斜値が容易に変換され得、逆もまた同様であることを認識するであろう。代替的または追加的に、このような変換値は、好適な較正手順で測定されてもよい。
【００７１】
図２の実施例では、傾き調整および傾き阻止は、接合ヘッド１１０に実装され、というのも、このことは実際には、追加の部品のための十分なスペースを提供し、典型的には、堅牢で信頼性の高い実装を可能にするのに十分な質量を有するためである。
【００７２】
代替的または追加的に、傾斜調整および傾斜係止は、ピックアップ部材１８０内で、またはさらには軸受け表面１８５内で提供されてもよい。複数の傾き調整および傾き係止機能の使用も提供され、粗いおよび／または微細な調整を可能にする。
【００７３】
図３は、本発明の方法２００による、基板上の部品の組み立てのための図２の構成および配置の使用を示す。手順の可能なステップも図５に示される。
【００７４】
図３Ａは、図２に示される接合ヘッド１１０と同じ座標系の同じ図を示す。図３の明瞭性を向上させるために参照番号は含まれておらず、図２に示される要素は同一である。
【００７５】
図３Ｂでは、接合ヘッド１１０は、第１の調整位置１３２に移動される２５０。この時点で、第１の係合部材１２０および第１の調整部材１３０は一緒に近接している。
【００７６】
次いで、第１の係合部材１２０は、第１の調整部材１３０と堅固に係合される。必要なアクションは、とりわけ、第１の係合部材１２０、１３０の対の構成および配置によって異なる。装置１００は、接合ヘッド１１０を第１の調整位置１３２に移動させる直接的な結果として堅固に係合する２６０ように構成および配置されてもよい。
【００７７】
代替的または追加的に、利用可能な移動軸１７０、１７５、１７７に沿った一連の移動は、第１の係合部材１２０、１３０の対が互いに近接するまで行われてもよい。例えば、図３の実施形態は、調整部材１３０の溝を貫通するために係合部材１２０に含まれるピンを必要とする。示されるように、ピン１２０および溝１３０の両方は、第２の移動軸１７５に沿って紙平面内に延在する。したがって、係合は、接合ヘッド１１０を第１の調整位置１３２に移動させることによって行われてもよく、第１の調整位置１３２は、ピン１２０が溝１３０のちょうど上に位置決めされ、第１の移動軸１７０および第３の移動軸１７７に沿った移動の自由を可能にするように定義される。次に、接合ヘッド１１０は、第２の移動軸１７５に沿って紙の中に移動され、ピン１２０が溝１３０に入ることを可能にすることができる。したがって、堅固な係合２６０は、ピン１２０および溝１３０の機械的許容差を適切に選択し、傾き２７０が設定されるとき（以下を参照）、第２の移動軸１７５に沿った固定位置を維持することによって達成され得る。
【００７８】
追加的または代替的に、クランプを使用して、係合の堅固性が十分であることを確実にすることができる。
【００７９】
第１の係合部材１２０、１３０の対の配置は、ＹＺ平面内の第１の移動軸１７０（Ｚ）に対して約２０度の角度で配置される溝１３０内のピン１２０である。この例では、第３の移動軸１７７は、Ｙとして定義される。第１の移動軸１７０に沿った接合ヘッド１１０の移動は、第３の移動軸１７７に沿った第１の係合部材１２０上に力を提供する。示されるように、上方への移動１７０は、左の１７７に力を提供し、下方への移動１７０は、右の１７０に力を提供する。より大きな角度、例えば３０度〜６０度の溝を使用することもできる。
【００８０】
装置１００は、第３の移動軸１７７に沿った第１の係合部材１２０上の力が、接合ヘッド１１０を枢動軸１１５の周りを（第２の移動軸１７５の周りを）回転させるように構成および配置される。
【００８１】
装置１００は、枢動軸１１５の周りでの（第２の移動軸１７５の周りでの）接合ヘッド１１０の回転が、第２の移動軸１７５の周りでの接触面１８５の回転（または傾斜）を引き起こすように構成および配置される。
【００８２】
本発明は、移動軸１７０、１７５、１７７に沿った接合ヘッドの変位のための既存の駆動装置およびアクチュエータとの接触面１８５の傾斜を提供することが有利である。この傾斜には追加の駆動装置および／またはアクチュエータは必要ない。
【００８３】
図３Ｃは、接合ヘッド１１０を第１の運動軸１７０に沿って２７０上方に移動させることによって、接合ヘッド１１０の第２の運動軸１７５の周りでの反時計回りの回転を示す。
【００８４】
次いで、第１の係合部材１２０は、第１の調整部材１３０から切り離される。傾き（第２の移動軸１７５の周りでの回転）は、傾き位置阻止部１１７によって維持される。十分な摩擦を提供する摩擦ブレーキが使用される場合、接合ヘッド１１０は、係合部材１２０に適切な力を加えることのみによって、傾き機構領域内の任意の傾き値に調整されてもよく、傾きを阻止するためにさらなるアクションは必要とされない。傾き位置阻止部１１７が複数の阻止の程度を提供する場合、接合ヘッド１１０の回転中により少ない阻止、ならびに第１の係合部材１２０および第１の調整部材１３０を解放する前により多くの阻止の程度を提供することが有利であり得る。代替的または追加的に、傾き位置阻止部１１７は、係合解除２８０時の接合ヘッド１１０の各移動中に、より高い阻止度を有するように構成および配置されてもよい。
【００８５】
係合解除２８０の後、接合ヘッド１１０を基板１６０上のそれぞれの基板位置１６５に移動させる。図３Ｄに示されるように、接合ヘッド１１０は、第２の移動軸１７５の周りでの回転、したがって、第２の移動軸１７５の周りでの接触面１８５の傾斜を維持している。接触面１８５がそれぞれの部品１５０が取り付けられる基板上の位置の真上にあるとき、接合ヘッド１１０はそれぞれの基板位置１６５に到達する。したがって、傾き設定に応じて、期待位置を補正することができる。
【００８６】
図３Ｄに示されるように、部品１５０は接触面１８５に装着され、第２の移動軸１７５の周りでの部品は、第２の移動軸１７５の周りでの基板傾き１６０と実質的に等しい。
【００８７】
傾斜調整後に部品１５０を取り出す必要はない（図３Ｂおよび図３Ｃ）。装置１００は、部品１５０が接触面１８５に装着されている間に傾斜調整を実施するように構成されてもよい。
【００８８】
次の２つの態様が実装される場合、この実施形態の多くの変形例が可能である。装置１００が、
少なくとも１つの移動軸１７０、１７５、１７７に沿った変位が接触面１８５の傾斜をもたらすような方法で構成されている。
部品１５０が基板１６０上に取り付けられるとき、意図される傾斜が維持される。
【００８９】
上記は、Ｚまたは実質的に垂直方向で表される第１の移動軸１７０に沿って接合ヘッド１１０の運動を使用して、Ｘまたは実質的に水平方向で表される第２の移動軸１７５を回転させることを説明する。
【００９０】
本発明は、これらの運動軸１７０、１７５、１７７のうちの少なくとも１つに沿った運動を可能にする既存の駆動装置および／またはアクチュエータで傾き補正が可能であるという知識に基づいている。一般に、装置１００は、１つの移動軸に沿った運動を使用して、軸が互いに実質的に直角な状態で、別の移動軸についての回転を可能にするように構成および配置されていてもよい。
【表１】
2021529441.tif 000003
【００９１】
したがって、「第１の」、「第２の」、および「第３の」移動軸を解釈する場合、互いに実質的に直角である軸のすべての組み合わせが特許請求の範囲の保護範囲に該当し、明細書中にＸ、Ｙ、およびＺと記載されている例のみが特許請求の範囲の保護範囲に該当するものではない。
【００９２】
特に、移動軸ＸおよびＹは、機能的に交換されてもよい。
【００９３】
装置１００はまた、本発明による２つ以上の傾きを提供するように構成および配置されてもよい。
【００９４】
図４は、図２に示される実施形態の修正バージョンである、本発明の別のバージョンを示す。
【００９５】
図４Ａの左図は、接合ヘッド１１０およびピックアップ部材１８０を概略的に示す。右側には、座標系が示され、第１の移動軸１７０（Ｚ）は垂直方向に示され、第３の移動軸１７７（Ｙ）は水平方向に示される。この例では、接合ヘッド１１０は、第２の移動軸１７５（Ｘ）に沿って見られ、すなわち、第２の移動軸１７５（Ｘ）はページの中に入る。この観点から、図２に示されるように装置１００と接合ヘッド１１０が現れる。枢動軸１１５およびしたがって第２の移動軸１７５の周りでの回転性は、同じである。
【００９６】
違いは次のとおりである。
さらなる接合ヘッド装着具１０６は、図２に示されるものと比較して修正され、ここで、接合ヘッド１１０はまた、第３の移動軸の周りも回転可能である（以下の図４Ｂを参照）。
他の係合部材１２２は図２と比較して、２つの軸の周りでの回転を可能にする堅固な係合を可能にするように修正される。この単純な例では、さらなる係合部材１２２は、その遠位端におけるボール（または部分的に球形状のもの）から構成される。
【００９７】
関連する追加の調整部材１３１は、第１の調整位置１３２に提供され、例えば、適切に寸法設定されたソケット、凹部、または溝であり得る。ここでは、第３の移動軸１７７に沿って配置されたソケットを示す。堅固な係合は、ボールが第１の移動軸１７０および第２の移動軸１７５に沿ってさらなる係合部材１２２の遠位端に整列し、次いで第３の移動軸１７７に沿って変位し、枢動軸１１５の周りでの回転、およびそれによって第２の移動軸１７５の周りでの接触面１８５の回転（傾斜）を可能にするように、接合ヘッド１１０を第１の調整位置１３２に移動させることによって実現されてもよい。
【００９８】
図４Ｂの左図は、接合ヘッド１１０およびピックアップ部材１８０を概略的に示す。右側には、座標系が示され、第１の移動軸１７０（Ｚ）は垂直方向に示され、第３の移動軸１７５（Ｙ）は水平方向に示される。この例では、接合ヘッド１１０は、第３の移動軸１７７（Ｙ）に沿って見られる。言い換えると、第３の移動軸１７７（Ｘ）はページ（紙平面）から出てくる。この例では、接合ヘッド１１０はまた、第３の移動軸１７７（Ｙ）の周りを回転するように構成および配置される。接合ヘッド１１０は、さらなる接合ヘッド装着具１０６を介して残りの装置１００に枢動可能に接続され、これはまた、さらなる枢動軸１１６および第３の移動軸１７７の周りを回転することを容易にする。さらなる傾き位置阻止部１１８は、さらなる接合ヘッド装着具１０６と残りの装置１００との間に取り付けられて、第３の移動軸１７７の周りでの回転、すなわち、第３の移動軸１７７の周りでの傾き調整を維持する。さらなる傾き位置阻止部１１８はまた、第３の移動軸１７７の周りでの望ましくない傾き移動を阻止するとみなすことができる。任意選択で、追加の傾き位置阻止部１１８はまた、機械的原理（受動的なバージョン）のみを使用するように構成されてもよい。第１の調整位置１３２において関連付けられたさらなる調整部材１３１は、第３の移動軸１７７に示され、ソケット１３１はここでは見えず、したがって破線でマークされる。堅固な係合は、図４Ａと同じ様式で実施される。つまり、ボール１２２が第１の移動軸１７０および第２の移動軸１７５に沿って整列され、続いて第３の１７７の移動軸に沿って移動し、第１の１７０および第３の１７７の移動軸に沿った実質的に一定の位置で第２の１７５の移動軸に沿った後続の移動が、さらなる枢動軸１１６の周りでの回転、したがって、第３の１７７の移動軸の周りでの接触面１８５の回転（傾斜）を促進するように、接合ヘッド１１０を移動させる。
【００９９】
要約すると、図４の実施例では、装置１００は、接合ヘッド１１０が次のように回転できるように構成および配置されている。
対応する力が第３の移動軸１７７に沿ってさらなる係合部材１２１の先端（遠位端）に印加されるとき、枢動軸１１５の周りを（および第２の移動軸１７５の周りを）回転する。
対応する力が第２の移動軸１７５に沿ってさらなる係合部材１２１の先端（遠位端）に加えられるとき、さらなる枢動軸１１６の周りを（および第３の移動軸１７７の周りを）回転する。
【０１００】
利点は、取り付けプロセスのための部品１５０は、好ましくは、基板位置１６５において基板１６０と平行であり、２つの移動軸による必要な傾斜は、装置１００の動作を中断する傾斜問題のリスクを低減することである。
【０１０１】
同じ回転を確実にするために異なる構成および移動を使用することができることは、当業者には明らかである。
【０１０２】
例えば、図４Ａにおいて、接合ヘッド１１０の移動は、第３の移動軸１７７に沿ってソケット１３１にラッチした後、接触面１８５を第２の移動軸１７５の周りを回転させる。示される構成において、第３の移動軸１７７に沿ったソケット１３１からの移動は係合解除をもたらし得る。しかしながら、異なるタイプのメッシュ対、例えば、両方向に配設されたピニオンおよびラックを提供することによって、これらもまた提供され得る。
【０１０３】
単一の係合部材はまた、各々２つ以上の係合位置において２つ以上の調整部材と共に使用されてもよい。例えば、球面係合部材の場合、さらなる調整位置に追加のソケットが提供されてもよい。
【０１０４】
接合ヘッド１１０がこれらのラッチ位置間で移動されることから、堅固な係合を維持できない場合、調整位置は異なるとみなされ、図４Ａおよび図４Ｂについては、調整位置は異なるとみなされない。装置１００は、これらの異なる位置において、同じ移動軸の周りでの回転、同じ移動軸の周りでの異なる程度の回転、異なる運動軸の周りでの回転、同じ移動軸の周りでの異なる回転方向、およびこれらの任意の組み合わせを提供するように構成されてもよい。
【０１０５】
単一の調整部材はまた、各々２つ以上の調整位置において２つ以上の係合部材と共に使用されてもよい。例えば、接合ヘッド１１０が２つの球面係合部材を備えている場合、ソケットが装置１００に提供されてもよい。本発明は、接合ヘッド１１０が２つの調整位置の間で移動されることから、堅固な係合は不可能であるため、２つの調整位置を有する。装置１００は、装置１００が以下の異なる位置にあるように構成されてもよい。同じ移動軸の周りでの回転、同じ移動軸の周りでの異なる程度の回転、異なる運動軸の周りでの回転、同じ移動軸の周りでの異なる回転方向、およびこれらの任意の組み合わせ。
【０１０６】
１つ以上の係合部材はまた、１つ以上の
調整部材と共に使用されてもよく、これにより柔軟性を高めることができる。
【０１０７】
図５は、本発明による基板上に部品を取り付けるための方法２００の概要を示す。手順には以下が含まれる。
−基板１６０に対して第１の移動軸１７０および第２の移動軸１７５に沿って変位可能な接合ヘッド１１０を提供する２１０ことであって、第２の移動軸１７５は、第１の移動軸１７０に実質的に直角である、接合ヘッドを提供することと、
−接触面１８５を有する受容要素としてピックアップ部材１８０を提供する２２０ことであって、ピックアップ部材１８０は接合ヘッド１１０に装着され、接触面１８５は、部品１５０に解放可能に装着可能または解放可能であるように構成および配置され、第２の移動軸１７５の周りを回転可能であるようにさらに構成および配置されている、ピックアップ部材を提供することと、
−２３０接合ヘッド１１０に装着された第１の係合部材１２０を提供することと、
−２４０第１の係合部材１２０との堅固な係合のために、第１の調整部材１３０を第１の調整位置１３２に提供することと、
−２５０接合ヘッド１１０を第１の調整位置１３２に移動させることと、
−２６０第１の係合部材１２０を第１の調整部材１３０と堅固に係合することと、
−２７０接合ヘッド１１０を第１の移動軸１７０に沿って第１の調整部材１３０に対して移動させることであって、接触面１８５が第２の移動軸１７５の周りを回転する、移動させることと、
−２８０第１の係合部材１２０を第１の調整部材１３０から解放することと、
−２９０接合ヘッド１１０を基板位置１６５に移動させることであって、接合ヘッド１１０が第２の移動軸１７５の周りでの接触面１８５の回転を維持する、移動させること。
【０１０８】
図６は、本発明の実施形態のうちのいずれかで使用され得る対のラックおよびピニオン係合部材を有する代替の傾き調整実施形態を示す。接合ヘッド１１０は、図２と同様に、第２の移動軸１７５の周りを回転するように配置される。
【０１０９】
図６の左図は、接合ヘッド１１０およびピックアップ部材１８０を概略的に示す。右側には、座標系が示され、第１の移動軸１７０（Ｚ）は垂直方向に示され、第３の移動軸１７７（Ｙ）は水平方向に示される。この例では、接合ヘッド１１０は、第２の移動軸１７５（Ｘ）に沿って見られ、すなわち、第２の移動軸１７５（Ｘ）はページの中に入る。
【０１１０】
接合ヘッド１１０は、それが枢動点１１５の周りで旋回され得るように、接合ヘッド装着具１０５によって残りの装置１００に装着される。
【０１１１】
係合部材１２１は、遠位端に配置されたピニオンから構成される。内部的に、従来の主軸ねじ駆動（図示せず）は、ピニオンの回転が主軸ねじ駆動の回転を引き起こすように、ピニオン１２１に装着される。主軸ねじ駆動装置はまた、主軸ねじ駆動装置の回転が、枢動軸１１５の周りおよび第２の移動軸の周りでの接合ヘッド１１０の回転を容易にするような方法で、接合ヘッド１１０にも装着される。これは、第２の移動軸１７５の周りでの接触面１８５の回転（傾き）をもたらす。傾き調整機構は、接合ヘッド１１０と接合ヘッド装着具１０５との間に取り付けられた弾性部材１１９からさらに構成される。これは、接合ヘッド１１０が主軸ねじ駆動装置に対して予め負荷が与えられるように、対応する予圧を提供する。これは、傾き位置を阻止するための代替の機構である。この例では、第２の移動軸１７５の周りでの回転は係止される。
【０１１２】
第１の調整位置１３２に提供された調整部材は、ピニオン１２１の回転が可能になるように、ピニオン１２１と相互作用するように構成および配置されたラック１３３である。この例では、ラック１３３は、第１の移動軸１７０に沿って延在する。
【０１１３】
係合は、ピニオン１２１とラック１３３とが近接するように、ピニオンが第１の移動軸１７０、第２の移動軸１７５、および第３の移動軸１７７に沿ってピニオン１２１の遠位端において整列されるように、接合ヘッド１１０を第１の調整位置１３２に移動させることによって行われてもよい。ラック１３３への第２の移動軸１７５に沿った変位は、堅固な係合を確実にする。第２の移動軸１７５および第３の移動軸１７７に沿った実質的に一定の位置における第１の移動軸１７０に沿った後続の移動は、ピニオン１２１の回転を引き起こし、主軸ねじ駆動装置（図示せず）の回転および枢動軸１１５の周りでの接合ヘッド１１０の回転をもたらす。したがって、第２の軸１７５の周りでの接触面１８５の回転（傾斜）も提供される。
【０１１４】
利用可能な旋回範囲は、第１の移動軸１７０におけるピニオン１２１の係合位置に依存する。ピニオンがラック１３３の端部に到達するために到達距離が不十分である場合、ピニオン１２１は係合解除され、ラック１３３の他の端部に移動され、再び堅固に係合され得る。
【０１１５】
第２の移動軸１７５の周りでの接触面１８５の回転（傾斜）は、弾性部材１１９による主軸ねじ駆動装置に対する接合ヘッド１１０の予負荷によって保持される。
【０１１６】
好適な弾性部材１１９は、例えば、ばね、ゴムベルト、ゴムバンドであってもよい。
【０１１７】
この例では、ラック１３３は、第１の移動軸１７０に沿って延在するが、当業者には、装置１００は、第２の移動軸１７５に沿って延在するラック１３３を使用してピニオン１２１の回転を可能にするように構成され得ることが明らかである。
【０１１８】
図７は、本発明のさらなる実施形態を示す。第２の移動軸１７５の周りおよび第３の移動軸１７７の周りを回転できる接合ヘッド１１０が提供される。傾き調整および保持機構は図６に示されるものと同様である。
【０１１９】
接合ヘッドは、２つのピニオン１２１で構成されている。１つは第２の移動軸１７５の周りを回転するように構成および配置され、もう１つは第３の移動軸１７７の周りを回転するように構成および配置されている。
【０１２０】
装置１００は、２つのラック１３３を提供するように構成および配置され、１つは第１の調整位置１３２にあり、もう１つは第２の調整位置１３７にある。
【０１２１】
第１の調整位置１３２における堅固な係合は、ピニオン１２１の遠位端におけるピニオンが第１の移動軸１７０、第２の移動軸１７５、および第３の移動軸１７７に沿って整列されるように、接合ヘッド１１０を第１の調整位置１３２に移動させることによって達成され、ピニオン１２１およびラック１３３が一緒に近接する。ラック１３３への第１の移動軸１７０に沿った変位は、堅固な係合を確実にする。第１の移動軸１７０および第３の移動軸１７７に沿った実質的に一定の位置における第２の移動軸１７５に沿った後続の移動は、ピニオン１２１の回転を引き起こし、主軸ネジ駆動装置（図示せず）の回転および第２の軸１７５の周りでの接合ヘッド１１０の回転をもたらす。したがって、第２の軸１７５の周りでの接触面１８５（図示せず）の回転（傾斜）も提供される。
【０１２２】
第２の調整位置１３７における堅固な係合は、ピニオンが第１の移動軸１７０、第２の移動軸１７５、および第３の移動軸１７７に沿ってピニオン１２１の遠位端において整列されるように、接合ヘッド１１０を第２の調整位置１３７に移動させることによって達成され、ピニオン１２１およびラック１３３が一緒に近接する。ラック１３３への第１の移動軸１７０に沿った変位は、堅固な係合を確実にする。第１の移動軸１７０および第２の移動軸１７５に沿った実質的に一定の位置における第３の移動軸１７７に沿った後続の移動は、ピニオン１２１の回転を引き起こし、主軸ねじ駆動装置（図示せず）の回転および第３の軸１７７の周りでの接合ヘッド１１０の回転をもたらす。したがって、第３の軸１７７の周りでの接触面１８５（図示せず）の回転（傾斜）も提供される。
【０１２３】
第１の調整位置１３２内のラック１３３は、第２の移動軸１７５に沿って延在する。第２の調整位置１３７内のラック１３３は、第３の移動軸１７７に沿って延在する。図６に関して上述したように、各ラック１３３の異なる向きが使用されてもよい。
【０１２４】
本発明の別の態様において、装置１００は、同じ移動軸の周りでの回転（傾き）を可能にするために、移動軸に沿った運動を使用するように構成および配置されてもよい。
【表２】
2021529441.tif 000004
【０１２５】
図７に示される構成において、装置１００はまた、接合ヘッド１１０が、実質的に第１の移動軸１７０に沿った移動によって、第１の調整位置１３２と第２の調整位置１３７との間で移動され得るように構成される。両方の回転を調整して、部品１５０と基板との間の高い平面平行度を達成する必要があるため、調整位置が一緒に近接しているときに、傾斜調整の時間を短縮することができる。移動を１つの移動軸に制限することは、必要な時間をさらに短縮し得る。さらなる短縮は、１つの調整位置の係合解除方向が他の調整位置の係合方向に実質的に対応することを確実にすることによって達成することもできる。
【０１２６】
一般に、２つのタイプの傾斜誤差が生じ得る。装置１００内の機械的および角度公差に起因する静的傾き、ならびに（特に）接合ヘッド１１０、ピックアップ部材１８０、および接触面１８５における機械的および角度公差に起因する静的傾きである。傾き誤差の他の原因は、熱膨張および機械パーツの摩耗などの動的因子である。従来の装置では、傾きは各１６０個の１００〜５００個の基板の後にのみ確認される。本発明は、各基板の後または基板上での動作中に傾斜を確認および調整することを可能にする、比較的安価で比較的高速な調整オプションを提供する。
【０１２７】
加えて、接触面１８５の勾配のうちの１つ以上に対して測定および／または監視機構を提供することが有利である場合があり、というのも、これはいくつかの自動監視を可能にするためである。
【０１２８】
高度な自動化は、第１の移動軸１７０に沿った変位の程度を決定し、第２の移動軸１７５および／または第３の移動軸１７７の周りでの所望の回転を得るように構成および配置されたプロセッサを提供することと、接触面１８５の所望の傾斜に到達したときに第１の軸１７０に沿った変位を停止するように、プロセッサをさらに構成および配置することによって提供されてもよい。
【０１２９】
また、基板１６０の傾きを測定するように構成および配置された傾斜センサを提供し、プロセッサ（または既存のプロセッサをさらに構成する）を提供して、基板の測定された傾斜を使用して第１の軸１７０に沿った変位の程度を決定して、第２の移動軸１７５および／または第３の移動軸１７７の周りでの所望の回転を得ることも有益であり得る。基板１６０の傾斜を監視することによって、高い精度および信頼性を達成することができる。
【０１３０】
追加的または代替的に、動作中の接触面１８５上の１つ以上の力、特に基板１６０上の部品１５０の組み立ての測定は、発生し得る任意の傾斜問題に関する情報を提供してもよい。
【０１３１】
追加的または代替的に、部品１５０および／または基板１６０および／または接触領域１８５の温度を測定および／または監視することができる。測定された温度を使用して第２の移動軸１７５および／または第３の移動軸１７７の周りでの所望の回転を達成するために、第１の軸１７０に沿った変位の程度を決定するためのプロセッサ（または既存のプロセッサのさらなる構成）を提供することによって、動作中に発生する動的傾き誤差に対する高い程度の補償を達成することができる。
【０１３２】
要約すると、本発明は、基板上に部品を取り付けるための装置および方法を対象としていると言える。部品が基板に対して平行な取り付けのために提供されないので、動作中に処理が中断されることが多い。いくつかの場合において、これは、部品および基板の破断をもたらし得る。傾斜制御ソリューションは、１１０接合ヘッドのコスト、重量、および複雑さを増加させる。
【０１３３】
既存の駆動装置および／またはアクチュエータを使用して接触面１８５を傾けることによって、簡素化された傾き補正が可能になり、高いスループットおよび高い信頼性が提供される。傾き補正機構は、１つ以上の係合部材１２０と、１つ以上の調整部材１３０と、１つ以上の傾き位置阻止部１１７と、から構成される。いくつかの場合には、受動要素および機構が使用され得る。
【表３−１】
2021529441.tif 000005
【表３−２】
2021529441.tif 000006
【図１】
2021529441.tif 000007
【図２】
2021529441.tif 000008
【図３Ａ】
2021529441.tif 000009
【図３Ｂ】
2021529441.tif 000010
【図３Ｃ】
2021529441.tif 000011
【図３Ｄ】
2021529441.tif 000012
【図４Ａ】
2021529441.tif 000013
【図４Ｂ】
2021529441.tif 000014
【図５】
2021529441.tif 000015
【図６】
2021529441.tif 000016
【図７】
2021529441.tif 000017
【手続補正書】
【提出日】令和2年7月30日(2020.7.30)
【手続補正１】
【補正対象書類名】明細書
【補正対象項目名】全文
【補正方法】変更
【補正の内容】
【発明の詳細な説明】
【技術分野】
【０００１】
本発明は、請求項１に記載の基板位置に設けられた基板上にデバイスを取り付ける方法および請求項９に記載の基板位置に提供された基板上にデバイスを取り付けるための装置に関する。
【背景技術】
【０００２】
基板上に部品を取り付けるための最先端の方法およびデバイスは、多種多様な用途のための部品を取り付けることを可能にするか、または簡略化するために、十分に幅広で、高さが高いことが知られている。
【０００３】
特許請求の範囲で使用される「デバイス」という用語は、電子デバイスおよび／または光学デバイス、特に基板上の半導体チップ（ダイとも呼ばれる）を指す。
【０００４】
半導体産業における部品の取り付けは、当業者には「ダイボンダ」またはピックアンドプレースマシンとして知られている半導体組み立て機械の助けを借りて行われる。デバイスは、多くの場合、所定の基板位置で異なる基板上に配置および接合することができる半導体チップである。
【０００５】
部品は、クランプ把持具または吸引要素などのピックアップ部材によってピックアップされる。ピックアップ部材を基板上に移動させ、部品を基板上の所定の位置に配置する。ピックアップ部材は、その長手方向軸の周りを回転することができるように、接合ヘッドに取り付けられてもよい。接合ヘッドは、Ｘ、Ｙ、およびＺの３つの空間方向における必要な移動を可能にするピックアンドプレースシステムに取り付けられる。接合ヘッドは、特別な装着ブラケットによって接合ヘッドに取り付けられる。実際には、Ｚ方向は垂直方向に対応し、ＸＹ平面は水平平面に対応する。ＸＹ平面における部品の非常に正確な位置決めに加えて、部品が平面的に平行に配置され、基板上に剪断力がないようにすることが非常に重要である。部品の傾斜した配置は、保持力の低減、電気接点の不備または欠損、部品と基板との間の不規則な熱伝達、または部品の損傷などの望ましくない特性をもたらし得る。剪断力は、半導体チップが滑る原因となり得る。
【発明の概要】
【発明が解決しようとする課題】
【０００６】
ピックアップ部材の傾斜を制御するための多くの異なる構成が知られている。本発明の目的は、基板からの部品の配置中に改善された傾斜制御を可能にすることである。
【０００７】
加えて、本発明は、製造中に傾き制御の単純かつ安価な可能性を提供するタスクを有し、これは、単純な取り扱いを維持しながら、使用中の接合ヘッドのための可能な限り長く、ほぼ摩耗のない傾斜機構を有する。
【課題を解決するための手段】
【０００８】
本発明の第１の態様では、基板上にデバイスを取り付けるためのプロセスが提供され、このプロセスは、基板位置において基板基部上に基板を提供する。手順は、以下のステップを含む：基板に対して第１の移動軸および第２の移動軸に沿って変位可能な接合ヘッドを提供することであって、第２の移動軸が、第１の移動軸に実質的に直角である、接合ヘッドを提供することと、接触面を有する受容要素としてのピックアップ部材を提供することであって、ピックアップ部材が、接合ヘッド上に配設され、接触面が、部品に解放可能に装着可能であるように構成および配置され、接触面が、第１の移動軸の周りを回転可能であるようにさらに構成および配置されている、ピックアップ部材を提供することと、接合ヘッド上に配設された第１の係合部材を提供することと、第１の係合部材との堅固な係合のために、第１の調整位置に第１の調整部材を提供することと、接合ヘッドを第１の調整位置に移動させることと、第１の係合部材を第１の調整部材と堅固に係合することと、接合ヘッドを、第１の移動軸に沿ってまたは第２の移動軸に沿って第１の調整部材に対して変位させることにより、接触面が第２の移動軸の周りを回転するようにすることと、第１の調整部材から第１の係合部材を解放することと、接合ヘッドを基板位置に向けて変位させることであって、接合ヘッドが、第２の移動軸の周りでの接触面の回転を維持する、変位させること。
【０００９】
従来の駆動装置および／またはアクチュエータとの傾き補正、ならびにそれらのそれぞれの運動軸に沿った移動を提供することによって、部品の組み立てはかなり簡素化され得る。特に、接合ヘッド（およびそれに装着された任意のパーツまたは要素）の複雑さが低減され得る。
−このことは、具体的にはデバイス自体のコストを削減し得る。加えて、接合ヘッド（および接合ヘッドに装着された任意のパーツまたは要素）は、従来の装置で可能であるよりもはるかに速く移動できるように、重量を低減させてもよい。回転補正は、機械的原理に従ってのみ実行することができ、そのような受動的な実施形態は、高い程度の複雑さおよび／または重量の低減を確実にする。
【００１０】
本発明のさらなる態様では、基板上にデバイスを取り付けるための方法が提供され、本方法は、以下の提供されたステップをさらに備える：接合ヘッドを、基板に対して第３の移動軸に沿って変位可能であるように構成および配置することであって、第３の移動軸が、第１の移動軸に実質的に直角であり、第２の移動軸に実質的に直角である、構成および配置することと、接触面を、第３の移動軸の周りを回転可能であるように構成および配置することと、接合ヘッドを、第１の移動軸に沿って、または第２の移動軸に沿って、または第３の移動軸に沿って、第１の調整部材に対して変位させることであって、接触面が第３の移動軸の周りを回転するようにする、変位させることと、第１の係合部材を第１の調整部材から解放した後に、接合ヘッドを基板位置に変位させることであって、接合ヘッドが、第３の移動軸の周りでの接触面の回転を維持する、変位させることと。
【００１１】
位置決め後、部品は、好ましくは、２つの移動軸の周りに必要な回転の程度を提供することによって、基板位置において基板に平行な平面に取り付けられ、動作中の傾斜問題のリスクが大幅に低減される可能性がある。
【００１２】
本発明のさらなる態様では、基板上にデバイスを取り付けるための方法が提供され、本方法は、以下の提供されたステップをさらに含む：接合ヘッドを、基板に対して第３の移動軸に沿って変位可能であるように構成および配置することであって、第３の移動軸が、第１の移動軸に実質的に直角であり、第２の移動軸に実質的に直角である、構成および配置することと、接触面を、第３の移動軸の周りを回転可能であるように構成および配置することと、接合ヘッド上に配設された第２の係合部材を提供することと、第２の調整位置に第２の調整部材を提供することであって、第２の調整部材が、第２の係合部材と堅固に係合するように構成および配置されている、第２の調整部材を提供することと、接合ヘッドを第２の調整位置に移動させること、第２の係合部材を第２の調整部材と堅固に係合させること、接合ヘッドを、第１の移動軸に沿って、または第２の移動軸に沿って、または第３の移動軸に沿って、第２の調整部材に対して移動させることであって、接触面が、第３の移動軸の周りを回転する、移動させることと、第２の係合部材を第２の調整部材から解放することと、接合ヘッドを基板位置に移動させることであって、接合ヘッドが、第３の移動軸の周りでの接触面の回転を維持する、移動させること。
【００１３】
２つの係合部材、２つの調整部材、および２つの調整位置を提供することによって、本発明の好ましい実装形態は、第１の傾斜の設定から第２の傾斜の設定に移動するのに必要な時間さえ著しく短縮され得るような方法で達成することができる。
【００１４】
これはまた、移動するより低い質量、すなわち、接合ヘッドにも起因し、このことは接合ヘッドにおける追加のサーボモータの回避から生じる。
【００１５】
好ましい方法では、接合ヘッドは、弾性部材、ばね部材、磁気部材、電気部材、電磁部材、真空部材、ガス動力部材、摩擦部材、油圧部材、誘導部材、またはこれらの任意の組み合わせを使用して接触面の回転を維持するように構成および配置される。
【００１６】
本発明の別の態様において、物品データを入力するための好ましい方法は、依然として、以下のステップを伴う：第１および／または第２の移動軸および／または第３の移動軸の周りでの接触面の回転を測定するように構成および配置された傾斜測定デバイスを提供することと、第１の移動軸に沿った変位の程度を決定して、第１および／または第２の移動軸および／または第３の移動軸の周りでの所望の回転を得るように構成および配置されたプロセッサを提供することと、接触面の所望の傾斜に到達したときに、第１の移動軸に沿った変位を停止するように、プロセッサをさらに構成および配置すること。
【００１７】
本発明の別の態様では、物品データを入力するための好ましい方法は、なおも以下のステップを伴う：基板の傾斜を測定するように構成および配置された傾斜位置センサを提供することと、基板の測定された傾斜を使用して第１の移動軸に沿って変位の程度を決定し、第１の移動軸および／または第２の移動軸の周り、および／または第３の移動軸の周りでの所望の回転を得るようにように構成および配置されたプロセッサを提供すること。
【００１８】
本発明の別の態様では、好ましい温度検知方法は、好ましくは機械環境においても、以下のステップを引き続き含む：接合ヘッド受容キャリアおよび／または接合ヘッド受容および／または接合ヘッドおよび／またはセンサおよび／または接触面の温度および／またはそれぞれの温度を測定するように構成および配置された温度センサを提供することと、接触面の測定された温度を使用して第１の移動軸に沿った変位の程度を決定し、第２の移動軸および／または第３の移動軸の周りでの所望の回転を得るように構成および配置されたプロセッサを提供すること。
【００１９】
本発明の別の態様では、好ましい温度検知方法は、好ましくは機械環境においても、以下のステップを引き続き含む：基板（１６０）および／または基板基部の温度および／またはそれぞれの温度を測定するように構成および配置された温度センサを提供することと、基板の測定された温度を使用して第１の移動軸に沿った変位の程度を決定し、第１の移動軸および／または第２の移動軸および／または第３の移動軸の周りでの所望の回転を得るように構成および配置されたプロセッサを提供すること。
【００２０】
本発明は、温度センサによる温度測定および／またはレーザー基部もしくは赤外線基部の温度測定などの放射線による非接触温度測定を伴う。
【００２１】
本発明の別の態様において、ピックアップ部材の接触面の回転を制御するための好ましい方法は、提供される以下のステップを引き続き含む：基板に対する接合ヘッドおよび／または接触面および／または接合された部品の傾斜および／または回転を測定することであって、少なくとも接合ヘッドの位置は、基準マークによって光学的に検出され得る、測定することと、測定値からの傾斜および／または回転の補償のための補償変数を決定することと、接合ヘッドを補償変数で補償される第１の位置に移動させることと、前記第１の係合部材を前記第１の調整部材と堅固に係合させることと、第１の補償を実施することと、接合ヘッドを補償サイズで補償される第２の位置に移動させることと、第２の係合部材を第１の調整部材と堅固に係合させることと、第２の補償を実施すること。
【００２２】
加えて、基板の表面または基板ハンドラの表面に対する接合ヘッドの傾きを再測定し、追加の補償のためにそれを使用することが有利であり得る。
【００２３】
傾き、すなわち、基板に対する接合ヘッドの傾斜および／または回転の測定は、好ましくは、光学画像認識方法で行われ、それによって、好ましくは、光学基準マーク、例えば、接合ヘッドに装着されたいわゆるフィデューシャルが、カメラによって検出され、参照のために使用される。このようにして、取り付け中の移動シーケンス中に有利な連続監視も可能である。したがって、例えば、機械的遊びまたは機械的偏差の単純な誤差伝播によって引き起こされる状況関連の補償が利用可能である。
【００２４】
本発明の別の態様において、デバイスは、デバイスを基板上に取り付けるために提供される。本デバイスは、本明細書に記載される手順を実施するように構成および配置される。
【００２５】
基板位置に設けられた基板上にデバイスを取り付けるためのデバイスの好ましい構成は、第１の移動軸および第２の移動軸に沿って基板に対して変位可能な接合ヘッドであって、第２の移動軸が、第１の移動軸に対して実質的に直角であり、第２の移動軸が、第１の移動軸に対して実質的に垂直である、接合ヘッドと、接触面を有するピックアップ部材であって、ピックアップ部材が、接合ヘッド上に配設され、接触面が、部品に解放可能にまたは再解放可能に装着可能であるように構成および配置され、接触面が、第１の移動軸の周りを回転可能であるようにさらに構成および配置されている、ピックアップ部材と、接合ヘッド上に配設された第１の係合部材と、第１の係合部材との堅固な係合のための第１の調整位置内の第１の調整部材と、を備える。
【００２６】
加えて、基板上にデバイスを取り付けるためのデバイスの好ましい構成は、第１の変位位置に変位可能な接合ヘッドを含む、第１の係合部材は、第１の変位部材と堅固に係合され、係合中、接合ヘッドは、第１の移動軸に沿って、または第２の移動軸に沿って、第１の変位部材に対して変位可能であり、接触面は、第１の移動軸の周りを回転する。
【００２７】
加えて、デバイスの好ましい実施形態は、第１の調整部材から解放可能または再解放可能である第１の係合部材を含む。
【００２８】
加えて、デバイスの好ましい実行の形態は、基板位置に変位可能な接合ヘッドを含み、接触面は、第１の移動軸の周りでの回転を維持するように構成および配置される。
【００２９】
基板上にデバイスを取り付けるためのデバイスの好ましい構成では、接合ヘッドは、第３の移動軸に沿って基板に対して変位可能であるようにさらに構成および配置され、第３の移動軸は、第１の移動軸に実質的に直角であり、第２の移動軸に実質的に直角である。
【００３０】
基板上にデバイスを取り付けるためのデバイスの好ましい実施形態では、接触面は、第３の移動軸の周りを回転可能であるようにさらに構成および配置される。
【００３１】
基板上にデバイスを取り付けるためのデバイスの好ましい構成では、第１の係合部材は、第１の移動軸に沿って、または第２の移動軸に沿って、または第３の移動軸に沿って第２の調整部材に対して接合ヘッドを摺動させるようにさらに構成および配置され、接触面は、第３の移動軸の周りを回転する。
【００３２】
基板上にデバイスを取り付けるためのデバイスの好ましい実施形態では、接合ヘッドは、第１の調整部材からの係合解除後に、第３の移動軸の周りでの接触面の回転を維持するようにさらに構成および配置される。
【００３３】
基板上にデバイスを取り付けるためのデバイスの好ましい構成では、接合ヘッドは、第３の移動軸に沿って基板に対して変位可能であるようにさらに構成および配置され、第３の移動軸は、第１の移動軸に実質的に直角であり、第２の移動軸に実質的に直角である。
【００３４】
基板上にデバイスを取り付けるためのデバイスの好ましい構成では、接触面は、第３の移動軸に沿って回転可能であるようにさらに配置され、デバイスは、接合ヘッド上に配設された第２の係合部材と、第２の調整位置内の第２の調整部材とをさらに備え、第２の調整部材は、第２の係合部材と堅固に係合するように構成および配置され、接合ヘッドは、第２の調整位置にさらに変位可能であり、第２の係合部材は、第２の調整部材と堅固に係合され、接合ヘッドは、第１の移動軸に沿って、または第２の移動軸に沿って、または第３の移動軸に沿って第２の調整部材に対して変位可能であり、接触面は、第３の移動軸の周りを回転し、第２の係合部材は、第２の調整部材から解放可能であり、接合ヘッドは、第２の調整部材からの解放後、第３の移動軸の周りでの接触面の回転を維持するようにさらに構成および配置される。
【００３５】
取り付けるための好ましい方法のさらなる利点および特性
基板上のデバイス、および基板上のデバイスを取り付けるための好ましいデバイスが、以下の図に示される。
【図面の簡単な説明】
【００３６】
【図１】本発明の意味における部品を取り付けるためのデバイスの実施形態を示す。
【図２】第２の移動軸の周りを回転するように構成および配置された接合ヘッドの例を示す。
【図３Ａ−３Ｄ】基板上にデバイスを取り付けるための図２からの構成および配置の使用を示す。
【図４Ａ−４Ｂ】図２に示される実施形態の修正バージョンを表す。
【図５】本発明の意味における基板上に部品を取り付ける方法を示す。
【図６】係合および調整部材としてのラックおよびピニオンの組み合わせを有する傾斜調整のためのさらなる実施形態を示す。
【図７】２つの調整位置における係合および調整部材としてのラックおよびピニオンの組み合わせとしての本発明の別のバージョンを示す。
【発明を実施するための形態】
【００３７】
図１は、本発明による方法２００を理解するために必要とされる、ダイボンダまたは組み立て機械などの組み立て装置１００の形態で部品１５０を組み立てるための装置１００の好ましい実施形態を示す。方法２００は、電子部品または光学部品１５０（図示せず）、特に半導体チップを基板１６０上に取り付けるために使用される。組み立て装置１００は、吸引素子またはクランプ把持具などの受容要素として、ピックアップ部材１８０が装着される移動可能な接合ヘッド１１０を備える。組み立て装置１００はまた、基板１６０が置かれ、保持される基板基部１９０も含む。
【００３８】
組み立て装置１００は、接合ヘッド１１０および／またはピックアップ部材１８０が第１の移動軸１７０（ここでは実質的に垂直方向またはＺ方向として表される）に沿って基板１６０に対して変位され得るように構成および配置される。典型的には、装置は、接合ヘッド１１０および／またはピックアップ部材１８０の長手方向軸１４０が実質的に垂直方向またはＺ方向１７０と実質的に一致するように構成および配置される。
【００３９】
組み立て装置１００は、接合ヘッド１１０および／またはピックアップ部材１８０が第２の移動軸１７５（ここでは実質的に水平方向またはＸ方向として示される）に沿って基板１６０に対してシフトされ得るようにさらに構成および配置される。第２の移動軸１７５は、第１の移動軸１７０に実質的に直角である。
【００４０】
組み立て装置１００は、第３の移動軸１７７（ここでは実質的に水平方向またはＹ方向として示される）に沿って、接合ヘッド１１０および／またはピックアップ部材１８０が基板１６０に対してシフトできるようにさらに構成および配置される。第３の移動軸１７７は、第１の移動軸１７０にほぼ直角に延在し、
第２の移動軸１７５にも実質的に直角に延在する。示される装置１００では、ＸＹ平面は、第２の移動軸１７５および第３の移動軸１７７によって広がっている。
【００４１】
装置１００の構成は、通常、運動のために電気的および／または空気的に駆動される軸を使用して相対運動を提供し、ここでピックアップ部材１８０および／または基板１６０は、１つ以上の移動軸１７０、１７５、１７７に沿って移動するように構成および配置される。相対運動が必要とされるため、運動は、基板基部１９０、ピックアップ部材１８０、接触面１８５、接合ヘッド１１０、残りの装置１００への接合ヘッド１１０の取り付け点、またはおれらの任意の組み合わせのために構成されてもよい。
【００４２】
そのような移動軸１７０、１７５、１７７は、ガイド（図示せず）および移動可能な部分、例えば、ガイド内で移動可能なキャリッジから構成されてもよい。キャリッジは、例えば、空気軸受または玉軸受けによって、異なる方法で支持されてもよい。ガイドと移動可能なスライドとの間に一定の弾性が存在する場合があり、これは典型的には、玉軸受けよりも空気軸受けでやや大きい。各移動軸に対して、１つ以上のガイドキャリッジの組み合わせは、装置１００内の異なる点に提供されてもよい。各移動軸はまた、関連するガイドに沿って関連するスライドを移動させるための１つ以上の駆動装置（図示せず）から構成することもできる。
【００４３】
受容要素としての接合ヘッド１１０とピックアップ部材１８０との間の相対変位はまた、１つ以上の移動軸１７０、１７５、１７７に提供することもできる。追加的または代替的に、デバイス１００は、ピックアップ部材１８０と、その長手方向軸１４０の周りの接合ヘッド１１０との間の相対回転を可能にするように構成されてもよい。接合ヘッド１１０におけるピックアップ部材１８０の軸受けは、空気軸受けとして提供されてもよい。
【００４４】
ピックアップ部材１８０は、基板位置１６５（図示せず）において基板１６０上に位置決めされる間、部品１５０への解放可能または再解放可能な装着のための接触面１８５（図示せず）から構成される。
【００４５】
部品１５０が基板１６０上に位置決めされた（または配置された）後、接触領域１８５は、典型的には、１つ以上の接合動作中のデバイスの移動を制限するために使用される。基板１６０上の接触面１８５によって加えられる力は、通常、保持力と呼ばれる。典型的には、同じ接触領域１８５が、接合プロセスの各ステップに使用され、各ステップは、接合のタイプに応じて追加の接触領域１８５を使用する。
【００４６】
接合ヘッド１１０およびピックアップ部材１８０は互いに接続され、ピックアップ部材１８０は接触面１８５を含むので、当業者には、接触面１８５の位置は、対応する変換ルールを有する接合ヘッド１１０および／またはピックアップ部材１８０の位置から導出されてもよく、またはその逆であってもよいことが明らかであろう。
【００４７】
好ましくは、部品１５０は、それらのそれぞれの基板位置１６５において基板１６０に対して実質的に平行に位置決めされる。これは、部品１５０が、好ましくは、基板位置１６５が位置するＸＹ平面に実質的に平行なＸＹ平面内に位置決めされることを意味する。平行状態からの逸脱は、傾斜、傾き、またはねじれと呼ばれ、部品１５０の傾き、ねじれ、または傾斜した位置決めは、保持力の低減および／または保持力、電気接点の不備もしくは欠落、部品１５０と基板１６０との間の不規則な熱伝達、または部品１５０への損傷などの望ましくない特性をもたらし得る。剪断力は、部品１５０を滑らせることがあり、これは位置決め誤差につながり得る。極端な場合、部品が正常に機能しない、欠陥がある、または信頼性が低下している可能性がある。
【００４８】
傾斜調整を可能にするために、装置１００は、接合ヘッド１１０および／またはピックアップ部材１８０が、基板１６０に対して少なくとも１つの水平軸（第２の移動軸１７５および／または第３の移動軸１７７）の周りを回転することができるように、さらに構成および配置される。一般に、最も高い程度の制御は、多くの運動および回転の程度（自由の程度）によって達成されるが、これは通常、装置１００の複雑さを増加させる。
【００４９】
従来の配置機械では、接触面１８５の傾斜は、オペレータによって手動で調整される。つまり、問題、例えば、部品１５０および／または基板１６０の破損が検出された後に、デバイスの動作が中断され、傾斜は、例えば調整ネジで手動で調整される。
【００５０】
適切な制御および／または測定により、この１つ以上の回転角度は、傾き誤差を最小化するために、基板１６０に対する接触面１８５の向きを制御するために使用されてもよい。各回転の程度には、１つ以上の駆動装置またはアクチュエータが必要である。加えて、必要な精度および制御を確保するために、１つ以上の測定機器などの測定システムが必要とされ得る。相対運動が必要とされるため、回転は、基板基部１９０、ピックアップ部材１８０、接合ヘッド１１０、接触面１８５、装置１００の残りの部分に対する接合ヘッド１１０装着点、またはこれらの任意の組み合わせに対して構成されてもよい。
【００５１】
このような追加の駆動装置および測定システムは、接合ヘッド１１０および／またはピックアップ部材１８０の重量を増大させ、これは、典型的にはＵＰＨ（１時間あたりの単位）で測定される最大速度を制限し得るか、または増大した慣性を補償するためにより強力な駆動装置を必要とし得る。接合ヘッド１１０および／またはピックアップ部材１８０のサイズはまた、要素が追加されるにつれて増大してもよい。
【００５２】
例えば、米国特許第ＵＳ８３８７８５１Ｂ１号は、接合ヘッドに直接取り付けられたアクティブアクチュエータによる傾斜調整を記載している。米国特許第８３８７８５１Ｂ１号の図５に示されるように、傾斜調整は、いくつかのアクチュエータおよびエンコーダによって実装される。
【００５３】
本発明に応じて、改良された傾き調整が装置１００に提供され、これにより、接合ヘッド１１０および／またはピックアップ部材１８０の重量および／またはサイズの増大を同時に最小化する自動調整が可能になる。加えて、設定時間は短縮されてもよく、これにより装置１００の動作時間が増加する。
【００５４】
図２は、第２の移動軸１７５の周りを回転するように配置される接合ヘッド１１０の例を示す。
【００５５】
図２の左図は、接合ヘッド１１０およびピックアップ部材１８０を概略的に示しており、それらの長手方向軸１４０も、可能な相対回転を示すように示されている。右側には、座標系が示され、第１の移動軸１７０（Ｚ）は垂直方向に示され、第３の移動軸１７７（Ｙ）は水平方向に示される。この例では、接合ヘッド１１０は、第２の移動軸１７５（Ｘ）に沿って見られ、すなわち、第２の移動軸１７５（Ｘ）はページ（紙平面）の中に入る。
【００５６】
この例では、接合ヘッド１１０は、第２の移動軸１７５（Ｘ）の周りを回転するように構成および配置され、この例では、接合ヘッド１１０は、接合ヘッド装着具１０５を介して残りの装置１００に枢動可能に接続され、枢動点１１５の周りを回転することを可能にする。
【００５７】
装置１００は、接合ヘッド１１０に装着された第１の係合部材１２０と、第１の調整部材１２０を堅固に係合するための第１の調整位置１３２（図１に示される）における第１の調整部材１３０（図１に示される）と、をさらに備える。
【００５８】
第１の調整位置１３２は、接合ヘッド１１０が利用可能な運動軸または自由の程度で到達することができる任意の場所に位置していてもよい。
【００５９】
装置１００は、接合ヘッド１１０が第１の調整位置１３２に移動され得るようにさらに構成および配置され、第１の係合部材１２０は、第１の調整部材１３０と堅固に係合する。
【００６０】
これは、接合ヘッド１１０が第１の調整位置１３２に移動されると、第１の係合部材１２０および第１の調整部材１３０は、それらが堅固にオンおよびオフに切り替えられるように構成および配置されることを意味する。第１の係合部材１２０および第１の調整部材１３０は、第１の対の係合部材を形成する。例えば、ラックおよびピニオンの対、ボールおよびソケット、フックおよびガイド、ボルトおよびナット、突起および凹部、ボルトおよび穴の対、北磁極および南磁極、または突起およびクランプの対として設計されてもよい。２対以上の係合部材を使用することもできる。
【００６１】
任意選択で、各係合部材の対は、機械的原理のみを使用するように構成されてもよい。この受動的な実施形態は、電気もしくは空気圧供給装置および／または駆動装置に起因する追加の重量および複雑さを回避することができる。
【００６２】
当業者であれば、係合対の部材が、その対の機能性に影響を与えることなく、それらの機械的構成を交換し得ることを認識するであろう。例えば、ラックは、調整部材としてピニオンと組み合わせて係合部材として含まれてもよく、ラックは、係合部材としてピニオンと組み合わせて調整部材として含まれてもよい。
【００６３】
堅固な係合とは、係合が必要な傾き調整を実施するのに十分な堅固性および持続時間を有し、特に係合対のために選択された機械的構成、選択された傾き調整機構（以下を参照）、必要な調整速度、必要な調整精度、および接合ヘッド１１０の質量に依存することを意味する。
【００６４】
図２に示される第１の係合部材１２０は、溝（図示せず）内と堅固に係合するように選択される円筒形ピンである。
【００６５】
装置１００は、係合中に、接合ヘッド１１０が、第１の移動軸１７０に沿って第１の調整位置に対して変位可能であり、接触面１８５が第２の移動軸１７５の周りを回転するようにさらに構成および配置され、第１の係合部材１２０が第１の調整部材１３０から解放されたときに、接合ヘッド１１０が基板位置１６５に変位可能であり、接触面１８５が第２の移動軸１７５の周りでの回転が維持されるように構成および配置されるように、さらに構成および配置される。
【００６６】
図２の例に示されるように、傾き位置阻止部１１７は、第２の移動軸１７５の周りでの回転、すなわち、第２の移動軸１７５の周りでの傾き調整を維持するために提供される。傾き位置阻止部１１７はまた、第２の移動軸１７５の周りでの望ましくない傾き移動を阻止するとみなすことができる。
【００６７】
摩擦ブレーキ、油圧ブレーキ、空気圧ブレーキ、ねじ山、電磁ブレーキ、電気ブレーキ、誘導ブレーキ、ドライバー、磁気ブレーキ、またはこれらの任意の組み合わせなど、任意の標準的な運動係止具が使用されてもよい。弾性部材を使用して、適切な予負荷を生成することもできる。
【００６８】
任意選択で、傾き位置阻止部１１７は、機械的原理のみを使用するように構成されてもよい。この受動的な実施形態は、電気もしくは空気圧供給装置および／または駆動装置に起因する追加の重量および複雑さを回避することができる。
【００６９】
図２の例では、装置１００は、対応する力が第３の移動軸１７７に沿って第１の係合部材１２０の先端（遠位端）に印加されたときに、接合ヘッド１１０が枢動１１５の周りを（および第２の移動軸１７５の周りを）回転できるように構成および配置される。
【００７０】
本発明の場合、接触面１８５の傾斜は、部品１５０が基板１６０上に取り付けられる前に有利に調整され、その結果、接触面１８５の傾斜は、それぞれの基板位置１６５における基板１６０の傾斜と実質的に等しくなる。図２の例は、接合ヘッド１１０の傾きを制御するための構成および配置を示すが、傾き設定および／または設定は、接触面１８５の必要な傾きを達成するように選択される。図２は、接合ヘッド１１０の端部に装着され、基板１６０に最も近接して働くピックアップ部材１８０を示す。ピックアップ部材１８０は、接合ヘッド１１０から最も遠いピックアップ部材１８０の端部にある接触面１８５から構成される。したがって、当業者は、装置１００の関連する寸法の知識から、接合ヘッド１１０の傾斜値が容易に変換され得、逆もまた同様であることを認識するであろう。代替的または追加的に、このような変換値は、好適な較正手順で測定されてもよい。
【００７１】
図２の実施例では、傾き調整および傾き阻止は、接合ヘッド１１０に実装され、というのも、このことは実際には、追加の部品のための十分なスペースを提供し、典型的には、堅牢で信頼性の高い実装を可能にするのに十分な質量を有するためである。
【００７２】
代替的または追加的に、傾斜調整および傾斜係止は、ピックアップ部材１８０内で、またはさらには軸受け表面１８５内で提供されてもよい。複数の傾き調整および傾き係止機能の使用も提供され、粗いおよび／または微細な調整を可能にする。
【００７３】
図３は、本発明の方法２００による、基板上の部品の組み立てのための図２の構成および配置の使用を示す。手順の可能なステップも図５に示される。
【００７４】
図３Ａは、図２に示される接合ヘッド１１０と同じ座標系の同じ図を示す。図３の明瞭性を向上させるために参照番号は含まれておらず、図２に示される要素は同一である。
【００７５】
図３Ｂでは、接合ヘッド１１０は、第１の調整位置１３２に移動される２５０。この時点で、第１の係合部材１２０および第１の調整部材１３０は一緒に近接している。
【００７６】
次いで、第１の係合部材１２０は、第１の調整部材１３０と堅固に係合される。必要なアクションは、とりわけ、第１の係合部材１２０、１３０の対の構成および配置によって異なる。装置１００は、接合ヘッド１１０を第１の調整位置１３２に移動させる直接的な結果として堅固に係合する２６０ように構成および配置されてもよい。
【００７７】
代替的または追加的に、利用可能な移動軸１７０、１７５、１７７に沿った一連の移動は、第１の係合部材１２０、１３０の対が互いに近接するまで行われてもよい。例えば、図３の実施形態は、調整部材１３０の溝を貫通するために係合部材１２０に含まれるピンを必要とする。示されるように、ピン１２０および溝１３０の両方は、第２の移動軸１７５に沿って紙平面内に延在する。したがって、係合は、接合ヘッド１１０を第１の調整位置１３２に移動させることによって行われてもよく、第１の調整位置１３２は、ピン１２０が溝１３０のちょうど上に位置決めされ、第１の移動軸１７０および第３の移動軸１７７に沿った移動の自由を可能にするように定義される。次に、接合ヘッド１１０は、第２の移動軸１７５に沿って紙の中に移動され、ピン１２０が溝１３０に入ることを可能にすることができる。したがって、堅固な係合２６０は、ピン１２０および溝１３０の機械的許容差を適切に選択し、傾き２７０が設定されるとき（以下を参照）、第２の移動軸１７５に沿った固定位置を維持することによって達成され得る。
【００７８】
追加的または代替的に、クランプを使用して、係合の堅固性が十分であることを確実にすることができる。
【００７９】
第１の係合部材１２０、１３０の対の配置は、ＹＺ平面内の第１の移動軸１７０（Ｚ）に対して約２０度の角度で配置される溝１３０内のピン１２０である。この例では、第３の移動軸１７７は、Ｙとして定義される。第１の移動軸１７０に沿った接合ヘッド１１０の移動は、第３の移動軸１７７に沿った第１の係合部材１２０上に力を提供する。示されるように、上方への移動１７０は、左の１７７に力を提供し、下方への移動１７０は、右の１７０に力を提供する。より大きな角度、例えば３０度〜６０度の溝を使用することもできる。
【００８０】
装置１００は、第３の移動軸１７７に沿った第１の係合部材１２０上の力が、接合ヘッド１１０を枢動軸１１５の周りを（第２の移動軸１７５の周りを）回転させるように構成および配置される。
【００８１】
装置１００は、枢動軸１１５の周りでの（第２の移動軸１７５の周りでの）接合ヘッド１１０の回転が、第２の移動軸１７５の周りでの接触面１８５の回転（または傾斜）を引き起こすように構成および配置される。
【００８２】
本発明は、移動軸１７０、１７５、１７７に沿った接合ヘッドの変位のための既存の駆動装置およびアクチュエータとの接触面１８５の傾斜を提供することが有利である。この傾斜には追加の駆動装置および／またはアクチュエータは必要ない。
【００８３】
図３Ｃは、接合ヘッド１１０を第１の運動軸１７０に沿って２７０上方に移動させることによって、接合ヘッド１１０の第２の運動軸１７５の周りでの反時計回りの回転を示す。
【００８４】
次いで、第１の係合部材１２０は、第１の調整部材１３０から切り離される。傾き（第２の移動軸１７５の周りでの回転）は、傾き位置阻止部１１７によって維持される。十分な摩擦を提供する摩擦ブレーキが使用される場合、接合ヘッド１１０は、係合部材１２０に適切な力を加えることのみによって、傾き機構領域内の任意の傾き値に調整されてもよく、傾きを阻止するためにさらなるアクションは必要とされない。傾き位置阻止部１１７が複数の阻止の程度を提供する場合、接合ヘッド１１０の回転中により少ない阻止、ならびに第１の係合部材１２０および第１の調整部材１３０を解放する前により多くの阻止の程度を提供することが有利であり得る。代替的または追加的に、傾き位置阻止部１１７は、係合解除２８０時の接合ヘッド１１０の各移動中に、より高い阻止度を有するように構成および配置されてもよい。
【００８５】
係合解除２８０の後、接合ヘッド１１０を基板１６０上のそれぞれの基板位置１６５に移動させる。図３Ｄに示されるように、接合ヘッド１１０は、第２の移動軸１７５の周りでの回転、したがって、第２の移動軸１７５の周りでの接触面１８５の傾斜を維持している。接触面１８５がそれぞれの部品１５０が取り付けられる基板上の位置の真上にあるとき、接合ヘッド１１０はそれぞれの基板位置１６５に到達する。したがって、傾き設定に応じて、期待位置を補正することができる。
【００８６】
図３Ｄに示されるように、部品１５０は接触面１８５に装着され、第２の移動軸１７５の周りでの部品は、第２の移動軸１７５の周りでの基板傾き１６０と実質的に等しい。
【００８７】
傾斜調整後に部品１５０を取り出す必要はない（図３Ｂおよび図３Ｃ）。装置１００は、部品１５０が接触面１８５に装着されている間に傾斜調整を実施するように構成されてもよい。
【００８８】
次の２つの態様が実装される場合、この実施形態の多くの変形例が可能である。装置１００が、
少なくとも１つの移動軸１７０、１７５、１７７に沿った変位が接触面１８５の傾斜をもたらすような方法で構成されている。
部品１５０が基板１６０上に取り付けられるとき、意図される傾斜が維持される。
【００８９】
上記は、Ｚまたは実質的に垂直方向で表される第１の移動軸１７０に沿って接合ヘッド１１０の運動を使用して、Ｘまたは実質的に水平方向で表される第２の移動軸１７５を回転させることを説明する。
【００９０】
本発明は、これらの運動軸１７０、１７５、１７７のうちの少なくとも１つに沿った運動を可能にする既存の駆動装置および／またはアクチュエータで傾き補正が可能であるという知識に基づいている。一般に、装置１００は、１つの移動軸に沿った運動を使用して、軸が互いに実質的に直角な状態で、別の移動軸についての回転を可能にするように構成および配置されていてもよい。
【表１】
2021529441.tif 000018
【００９１】
したがって、「第１の」、「第２の」、および「第３の」移動軸を解釈する場合、互いに実質的に直角である軸のすべての組み合わせが特許請求の範囲の保護範囲に該当し、明細書中にＸ、Ｙ、およびＺと記載されている例のみが特許請求の範囲の保護範囲に該当するものではない。
【００９２】
特に、移動軸ＸおよびＹは、機能的に交換されてもよい。
【００９３】
装置１００はまた、本発明による２つ以上の傾きを提供するように構成および配置されてもよい。
【００９４】
図４は、図２に示される実施形態の修正バージョンである、本発明の別のバージョンを示す。
【００９５】
図４Ａの左図は、接合ヘッド１１０およびピックアップ部材１８０を概略的に示す。右側には、座標系が示され、第１の移動軸１７０（Ｚ）は垂直方向に示され、第３の移動軸１７７（Ｙ）は水平方向に示される。この例では、接合ヘッド１１０は、第２の移動軸１７５（Ｘ）に沿って見られ、すなわち、第２の移動軸１７５（Ｘ）はページの中に入る。この観点から、図２に示されるように装置１００と接合ヘッド１１０が現れる。枢動軸１１５およびしたがって第２の移動軸１７５の周りでの回転性は、同じである。
【００９６】
違いは次のとおりである。
さらなる接合ヘッド装着具１０６は、図２に示されるものと比較して修正され、ここで、接合ヘッド１１０はまた、第３の移動軸の周りも回転可能である（以下の図４Ｂを参照）。
他の係合部材１２２は図２と比較して、２つの軸の周りでの回転を可能にする堅固な係合を可能にするように修正される。この単純な例では、さらなる係合部材１２２は、その遠位端におけるボール（または部分的に球形状のもの）から構成される。
【００９７】
関連する追加の調整部材１３１は、第１の調整位置１３２に提供され、例えば、適切に寸法設定されたソケット、凹部、または溝であり得る。ここでは、第３の移動軸１７７に沿って配置されたソケットを示す。堅固な係合は、ボールが第１の移動軸１７０および第２の移動軸１７５に沿ってさらなる係合部材１２２の遠位端に整列し、次いで第３の移動軸１７７に沿って変位し、枢動軸１１５の周りでの回転、およびそれによって第２の移動軸１７５の周りでの接触面１８５の回転（傾斜）を可能にするように、接合ヘッド１１０を第１の調整位置１３２に移動させることによって実現されてもよい。
【００９８】
図４Ｂの左図は、接合ヘッド１１０およびピックアップ部材１８０を概略的に示す。右側には、座標系が示され、第１の移動軸１７０（Ｚ）は垂直方向に示され、第３の移動軸１７５（Ｙ）は水平方向に示される。この例では、接合ヘッド１１０は、第３の移動軸１７７（Ｙ）に沿って見られる。言い換えると、第３の移動軸１７７（Ｘ）はページ（紙平面）から出てくる。この例では、接合ヘッド１１０はまた、第３の移動軸１７７（Ｙ）の周りを回転するように構成および配置される。接合ヘッド１１０は、さらなる接合ヘッド装着具１０６を介して残りの装置１００に枢動可能に接続され、これはまた、さらなる枢動軸１１６および第３の移動軸１７７の周りを回転することを容易にする。さらなる傾き位置阻止部１１８は、さらなる接合ヘッド装着具１０６と残りの装置１００との間に取り付けられて、第３の移動軸１７７の周りでの回転、すなわち、第３の移動軸１７７の周りでの傾き調整を維持する。さらなる傾き位置阻止部１１８はまた、第３の移動軸１７７の周りでの望ましくない傾き移動を阻止するとみなすことができる。任意選択で、追加の傾き位置阻止部１１８はまた、機械的原理（受動的なバージョン）のみを使用するように構成されてもよい。第１の調整位置１３２において関連付けられたさらなる調整部材１３１は、第３の移動軸１７７に示され、ソケット１３１はここでは見えず、したがって破線でマークされる。堅固な係合は、図４Ａと同じ様式で実施される。つまり、ボール１２２が第１の移動軸１７０および第２の移動軸１７５に沿って整列され、続いて第３の１７７の移動軸に沿って移動し、第１の１７０および第３の１７７の移動軸に沿った実質的に一定の位置で第２の１７５の移動軸に沿った後続の移動が、さらなる枢動軸１１６の周りでの回転、したがって、第３の１７７の移動軸の周りでの接触面１８５の回転（傾斜）を促進するように、接合ヘッド１１０を移動させる。
【００９９】
要約すると、図４の実施例では、装置１００は、接合ヘッド１１０が次のように回転できるように構成および配置されている。
対応する力が第３の移動軸１７７に沿ってさらなる係合部材１２１の先端（遠位端）に印加されるとき、枢動軸１１５の周りを（および第２の移動軸１７５の周りを）回転する。
対応する力が第２の移動軸１７５に沿ってさらなる係合部材１２１の先端（遠位端）に加えられるとき、さらなる枢動軸１１６の周りを（および第３の移動軸１７７の周りを）回転する。
【０１００】
利点は、取り付けプロセスのための部品１５０は、好ましくは、基板位置１６５において基板１６０と平行であり、２つの移動軸による必要な傾斜は、装置１００の動作を中断する傾斜問題のリスクを低減することである。
【０１０１】
同じ回転を確実にするために異なる構成および移動を使用することができることは、当業者には明らかである。
【０１０２】
例えば、図４Ａにおいて、接合ヘッド１１０の移動は、第３の移動軸１７７に沿ってソケット１３１にラッチした後、接触面１８５を第２の移動軸１７５の周りを回転させる。示される構成において、第３の移動軸１７７に沿ったソケット１３１からの移動は係合解除をもたらし得る。しかしながら、異なるタイプのメッシュ対、例えば、両方向に配設されたピニオンおよびラックを提供することによって、これらもまた提供され得る。
【０１０３】
単一の係合部材はまた、各々２つ以上の係合位置において２つ以上の調整部材と共に使用されてもよい。例えば、球面係合部材の場合、さらなる調整位置に追加のソケットが提供されてもよい。
【０１０４】
接合ヘッド１１０がこれらのラッチ位置間で移動されることから、堅固な係合を維持できない場合、調整位置は異なるとみなされ、図４Ａおよび図４Ｂについては、調整位置は異なるとみなされない。装置１００は、これらの異なる位置において、同じ移動軸の周りでの回転、同じ移動軸の周りでの異なる程度の回転、異なる運動軸の周りでの回転、同じ移動軸の周りでの異なる回転方向、およびこれらの任意の組み合わせを提供するように構成されてもよい。
【０１０５】
単一の調整部材はまた、各々２つ以上の調整位置において２つ以上の係合部材と共に使用されてもよい。例えば、接合ヘッド１１０が２つの球面係合部材を備えている場合、ソケットが装置１００に提供されてもよい。本発明は、接合ヘッド１１０が２つの調整位置の間で移動されることから、堅固な係合は不可能であるため、２つの調整位置を有する。装置１００は、装置１００が以下の異なる位置にあるように構成されてもよい。同じ移動軸の周りでの回転、同じ移動軸の周りでの異なる程度の回転、異なる運動軸の周りでの回転、同じ移動軸の周りでの異なる回転方向、およびこれらの任意の組み合わせ。
【０１０６】
１つ以上の係合部材はまた、１つ以上の
調整部材と共に使用されてもよく、これにより柔軟性を高めることができる。
【０１０７】
図５は、本発明による基板上に部品を取り付けるための方法２００の概要を示す。手順には以下が含まれる。
−基板１６０に対して第１の移動軸１７０および第２の移動軸１７５に沿って変位可能な接合ヘッド１１０を提供する２１０ことであって、第２の移動軸１７５は、第１の移動軸１７０に実質的に直角である、接合ヘッドを提供することと、
−接触面１８５を有する受容要素としてピックアップ部材１８０を提供する２２０ことであって、ピックアップ部材１８０は接合ヘッド１１０に装着され、接触面１８５は、部品１５０に解放可能に装着可能または解放可能であるように構成および配置され、第２の移動軸１７５の周りを回転可能であるようにさらに構成および配置されている、ピックアップ部材を提供することと、
−２３０接合ヘッド１１０に装着された第１の係合部材１２０を提供することと、
−２４０第１の係合部材１２０との堅固な係合のために、第１の調整部材１３０を第１の調整位置１３２に提供することと、
−２５０接合ヘッド１１０を第１の調整位置１３２に移動させることと、
−２６０第１の係合部材１２０を第１の調整部材１３０と堅固に係合することと、
−２７０接合ヘッド１１０を第１の移動軸１７０に沿って第１の調整部材１３０に対して移動させることであって、接触面１８５が第２の移動軸１７５の周りを回転する、移動させることと、
−２８０第１の係合部材１２０を第１の調整部材１３０から解放することと、
−２９０接合ヘッド１１０を基板位置１６５に移動させることであって、接合ヘッド１１０が第２の移動軸１７５の周りでの接触面１８５の回転を維持する、移動させること。
【０１０８】
図６は、本発明の実施形態のうちのいずれかで使用され得る対のラックおよびピニオン係合部材を有する代替の傾き調整実施形態を示す。接合ヘッド１１０は、図２と同様に、第２の移動軸１７５の周りを回転するように配置される。
【０１０９】
図６の左図は、接合ヘッド１１０およびピックアップ部材１８０を概略的に示す。右側には、座標系が示され、第１の移動軸１７０（Ｚ）は垂直方向に示され、第３の移動軸１７７（Ｙ）は水平方向に示される。この例では、接合ヘッド１１０は、第２の移動軸１７５（Ｘ）に沿って見られ、すなわち、第２の移動軸１７５（Ｘ）はページの中に入る。
【０１１０】
接合ヘッド１１０は、それが枢動点１１５の周りで旋回され得るように、接合ヘッド装着具１０５によって残りの装置１００に装着される。
【０１１１】
係合部材１２１は、遠位端に配置されたピニオンから構成される。内部的に、従来の主軸ねじ駆動（図示せず）は、ピニオンの回転が主軸ねじ駆動の回転を引き起こすように、ピニオン１２１に装着される。主軸ねじ駆動装置はまた、主軸ねじ駆動装置の回転が、枢動軸１１５の周りおよび第２の移動軸の周りでの接合ヘッド１１０の回転を容易にするような方法で、接合ヘッド１１０にも装着される。これは、第２の移動軸１７５の周りでの接触面１８５の回転（傾き）をもたらす。傾き調整機構は、接合ヘッド１１０と接合ヘッド装着具１０５との間に取り付けられた弾性部材１１９からさらに構成される。これは、接合ヘッド１１０が主軸ねじ駆動装置に対して予め負荷が与えられるように、対応する予圧を提供する。これは、傾き位置を阻止するための代替の機構である。この例では、第２の移動軸１７５の周りでの回転は係止される。
【０１１２】
第１の調整位置１３２に提供された調整部材は、ピニオン１２１の回転が可能になるように、ピニオン１２１と相互作用するように構成および配置されたラック１３３である。この例では、ラック１３３は、第１の移動軸１７０に沿って延在する。
【０１１３】
係合は、ピニオン１２１とラック１３３とが近接するように、ピニオンが第１の移動軸１７０、第２の移動軸１７５、および第３の移動軸１７７に沿ってピニオン１２１の遠位端において整列されるように、接合ヘッド１１０を第１の調整位置１３２に移動させることによって行われてもよい。ラック１３３への第２の移動軸１７５に沿った変位は、堅固な係合を確実にする。第２の移動軸１７５および第３の移動軸１７７に沿った実質的に一定の位置における第１の移動軸１７０に沿った後続の移動は、ピニオン１２１の回転を引き起こし、主軸ねじ駆動装置（図示せず）の回転および枢動軸１１５の周りでの接合ヘッド１１０の回転をもたらす。したがって、第２の軸１７５の周りでの接触面１８５の回転（傾斜）も提供される。
【０１１４】
利用可能な旋回範囲は、第１の移動軸１７０におけるピニオン１２１の係合位置に依存する。ピニオンがラック１３３の端部に到達するために到達距離が不十分である場合、ピニオン１２１は係合解除され、ラック１３３の他の端部に移動され、再び堅固に係合され得る。
【０１１５】
第２の移動軸１７５の周りでの接触面１８５の回転（傾斜）は、弾性部材１１９による主軸ねじ駆動装置に対する接合ヘッド１１０の予負荷によって保持される。
【０１１６】
好適な弾性部材１１９は、例えば、ばね、ゴムベルト、ゴムバンドであってもよい。
【０１１７】
この例では、ラック１３３は、第１の移動軸１７０に沿って延在するが、当業者には、装置１００は、第２の移動軸１７５に沿って延在するラック１３３を使用してピニオン１２１の回転を可能にするように構成され得ることが明らかである。
【０１１８】
図７は、本発明のさらなる実施形態を示す。第２の移動軸１７５の周りおよび第３の移動軸１７７の周りを回転できる接合ヘッド１１０が提供される。傾き調整および保持機構は図６に示されるものと同様である。
【０１１９】
接合ヘッドは、２つのピニオン１２１で構成されている。１つは第２の移動軸１７５の周りを回転するように構成および配置され、もう１つは第３の移動軸１７７の周りを回転するように構成および配置されている。
【０１２０】
装置１００は、２つのラック１３３を提供するように構成および配置され、１つは第１の調整位置１３２にあり、もう１つは第２の調整位置１３７にある。
【０１２１】
第１の調整位置１３２における堅固な係合は、ピニオン１２１の遠位端におけるピニオンが第１の移動軸１７０、第２の移動軸１７５、および第３の移動軸１７７に沿って整列されるように、接合ヘッド１１０を第１の調整位置１３２に移動させることによって達成され、ピニオン１２１およびラック１３３が一緒に近接する。ラック１３３への第１の移動軸１７０に沿った変位は、堅固な係合を確実にする。第１の移動軸１７０および第３の移動軸１７７に沿った実質的に一定の位置における第２の移動軸１７５に沿った後続の移動は、ピニオン１２１の回転を引き起こし、主軸ネジ駆動装置（図示せず）の回転および第２の軸１７５の周りでの接合ヘッド１１０の回転をもたらす。したがって、第２の軸１７５の周りでの接触面１８５（図示せず）の回転（傾斜）も提供される。
【０１２２】
第２の調整位置１３７における堅固な係合は、ピニオンが第１の移動軸１７０、第２の移動軸１７５、および第３の移動軸１７７に沿ってピニオン１２１の遠位端において整列されるように、接合ヘッド１１０を第２の調整位置１３７に移動させることによって達成され、ピニオン１２１およびラック１３３が一緒に近接する。ラック１３３への第１の移動軸１７０に沿った変位は、堅固な係合を確実にする。第１の移動軸１７０および第２の移動軸１７５に沿った実質的に一定の位置における第３の移動軸１７７に沿った後続の移動は、ピニオン１２１の回転を引き起こし、主軸ねじ駆動装置（図示せず）の回転および第３の軸１７７の周りでの接合ヘッド１１０の回転をもたらす。したがって、第３の軸１７７の周りでの接触面１８５（図示せず）の回転（傾斜）も提供される。
【０１２３】
第１の調整位置１３２内のラック１３３は、第２の移動軸１７５に沿って延在する。第２の調整位置１３７内のラック１３３は、第３の移動軸１７７に沿って延在する。図６に関して上述したように、各ラック１３３の異なる向きが使用されてもよい。
【０１２４】
本発明の別の態様において、装置１００は、同じ移動軸の周りでの回転（傾き）を可能にするために、移動軸に沿った運動を使用するように構成および配置されてもよい。
【表２】
2021529441.tif 000019
【０１２５】
図７に示される構成において、装置１００はまた、接合ヘッド１１０が、実質的に第１の移動軸１７０に沿った移動によって、第１の調整位置１３２と第２の調整位置１３７との間で移動され得るように構成される。両方の回転を調整して、部品１５０と基板との間の高い平面平行度を達成する必要があるため、調整位置が一緒に近接しているときに、傾斜調整の時間を短縮することができる。移動を１つの移動軸に制限することは、必要な時間をさらに短縮し得る。さらなる短縮は、１つの調整位置の係合解除方向が他の調整位置の係合方向に実質的に対応することを確実にすることによって達成することもできる。
【０１２６】
一般に、２つのタイプの傾斜誤差が生じ得る。装置１００内の機械的および角度公差に起因する静的傾き、ならびに（特に）接合ヘッド１１０、ピックアップ部材１８０、および接触面１８５における機械的および角度公差に起因する静的傾きである。傾き誤差の他の原因は、熱膨張および機械パーツの摩耗などの動的因子である。従来の装置では、傾きは各１６０個の１００〜５００個の基板の後にのみ確認される。本発明は、各基板の後または基板上での動作中に傾斜を確認および調整することを可能にする、比較的安価で比較的高速な調整オプションを提供する。
【０１２７】
加えて、接触面１８５の勾配のうちの１つ以上に対して測定および／または監視機構を提供することが有利である場合があり、というのも、これはいくつかの自動監視を可能にするためである。
【０１２８】
高度な自動化は、第１の移動軸１７０に沿った変位の程度を決定し、第２の移動軸１７５および／または第３の移動軸１７７の周りでの所望の回転を得るように構成および配置されたプロセッサを提供することと、接触面１８５の所望の傾斜に到達したときに第１の軸１７０に沿った変位を停止するように、プロセッサをさらに構成および配置することによって提供されてもよい。
【０１２９】
また、基板１６０の傾きを測定するように構成および配置された傾斜センサを提供し、プロセッサ（または既存のプロセッサをさらに構成する）を提供して、基板の測定された傾斜を使用して第１の軸１７０に沿った変位の程度を決定して、第２の移動軸１７５および／または第３の移動軸１７７の周りでの所望の回転を得ることも有益であり得る。基板１６０の傾斜を監視することによって、高い精度および信頼性を達成することができる。
【０１３０】
追加的または代替的に、動作中の接触面１８５上の１つ以上の力、特に基板１６０上の部品１５０の組み立ての測定は、発生し得る任意の傾斜問題に関する情報を提供してもよい。
【０１３１】
追加的または代替的に、部品１５０および／または基板１６０および／または接触領域１８５の温度を測定および／または監視することができる。測定された温度を使用して第２の移動軸１７５および／または第３の移動軸１７７の周りでの所望の回転を達成するために、第１の軸１７０に沿った変位の程度を決定するためのプロセッサ（または既存のプロセッサのさらなる構成）を提供することによって、動作中に発生する動的傾き誤差に対する高い程度の補償を達成することができる。
【０１３２】
要約すると、本発明は、基板上に部品を取り付けるための装置および方法を対象としていると言える。部品が基板に対して平行な取り付けのために提供されないので、動作中に処理が中断されることが多い。いくつかの場合において、これは、部品および基板の破断をもたらし得る。傾斜制御ソリューションは、１１０接合ヘッドのコスト、重量、および複雑さを増加させる。
【０１３３】
既存の駆動装置および／またはアクチュエータを使用して接触面１８５を傾けることによって、簡素化された傾き補正が可能になり、高いスループットおよび高い信頼性が提供される。傾き補正機構は、１つ以上の係合部材１２０と、１つ以上の調整部材１３０と、１つ以上の傾き位置阻止部１１７と、から構成される。いくつかの場合には、受動要素および機構が使用され得る。
【表３−１】
2021529441.tif 000020
【表３−２】
2021529441.tif 000021
【手続補正２】
【補正対象書類名】特許請求の範囲
【補正対象項目名】全文
【補正方法】変更
【補正の内容】
【特許請求の範囲】
【請求項１】
基板位置（１６５）に提供された基板基部（１９０）上の基板（１６０）上に部品（１５０）を取り付ける方法（２００）であって、前記方法が、
・前記基板（１６０）に対して第１の移動軸（１７０）および第２の移動軸（１７５）に沿って変位可能な接合ヘッド（１１０）を提供する（２１０）ことであって、前記第２の移動軸（１７５）が、前記第１の移動軸（１７０）に実質的に直角である、接合ヘッドを提供することと、
・接触面（１８５）を有するピックアップ部材（１８０）を提供する（２２０）ことであって、前記ピックアップ部材（１８０）が、前記接合ヘッド（１１０）上に配設され、前記接触面（１８５）が、部品（１５０）に解放可能に装着可能であるように構成および配置され、前記接触面（１８５）が、前記第２の移動軸（１７５）の周りを回転可能であるようにさらに構成および配置されている、ピックアップ部材を提供することと、
・前記接合面（１８５）が前記第２の移動軸（１７５）の周りを回転するように、第３の移動軸（１７７）に沿って前記接合ヘッド（１１０）に力を加えるように構成および配置された、前記接合ヘッド（１１０）上に配設された第１の係合部材（１２０）を提供する（２３０）ことであって、前記第３の移動軸（１７７）が前記第１の移動軸（１７０）に実質的に直角であり、前記第２の移動軸（１７５）に実質的に直角である、第１の係合部材（１２０）を提供する（２３０）ことと、
・前記第１の係合部材（１２０）との堅固な係合のために、第１の調整位置（１３２）に第１の調整部材（１３０）を提供する（２４０）ことと、
・前記接合ヘッド（１１０）を前記第１の調整位置（１３２）に移動させる（２５０）ことと、
・前記第１の係合部材（１２０）を前記第１の調整部材（１３０）と堅固に係合する（２６０）ことと、
・前記接合ヘッド（１１０）を前記第１の移動軸（１７０）に沿って前記第１の調整部材（１３０）に対して変位させる（２７０）ことにより、前記第３の移動軸（１７７）に沿って力が加えられて、前記接触面（１８５）を前記第２の移動軸（１７５）の周りを回転させることと、
・前記第１の調整部材（１３０）から前記第１の係合部材（１２０）を解放すること（２８０）と、
・前記接合ヘッド（１１０）を前記基板位置（１６５）に向けて変位させる（２９０）ことであって、前記接合ヘッド（１１０）が、前記第２の移動軸（１７５）の周りでの前記接触面（１８５）の前記回転を維持する（２０３）、変位させる（２９０）ことと、を含む、方法。
【請求項２】
前記方法が、
・前記接合ヘッド（１１０）を、前記基板（１６０）に対して前記第３の移動軸（１７７）に沿って変位可能であるように構成および配置する（２１５）ことであって、
・前記接触面（１８５）を、前記第３の移動軸（１７７）の周りを回転可能であるように構成および配置する（２２５）ことと、
・前記接合面（１８５）が前記第３の移動軸（１７７）の周りを回転するように、前記第２の移動軸（１７５）に沿って力を前記接合ヘッド（１１０）に加えるように構成および配置された、前記接合ヘッド（１１０）上に配設された第２の係合部材（１２５）を提供する（２３５）ことと、
・第２の調整位置（１３７）で第２の調整部材（１３５）を提供する（２４５）ことであって、前記第２の調整部材（１３５）が、前記第２の係合部材（１２５）と堅固に係合するように構成および配置されている、第２の調整部材（１３５）を提供する（２４５）ことと、
・前記接合ヘッド（１１０）を前記第２の調整位置（１３７）に移動させる（２５５）ことと、
・前記第２の係合部材（１２５）を前記第２の調整部材（１３５）と堅固に係合する（２６５）ことと、
・前記接合ヘッド（１１０）を前記第１の移動軸（１７０）に沿って前記第２の調整部材（１３５）に対して変位させる（２７０）ことにより、前記第２の移動軸（１７５）に沿って力が加えられて、前記接触面（１８５）を前記第３の移動軸（１７７）の周りを回転させることと、
・前記第２の係合部材（１２５）を前記第２の調整部材（１３５）から解放する（２８５）ことと、
・前記接合ヘッド（１１０）を前記基板位置（１６５）に変位させる（２９０）ことであって、前記接合ヘッド（１１０）が、前記第３の移動軸（１７７）の周りでの前記接触面（１８５）の前記回転を維持する（２０５）、変位させる（２９０）ことと、をさらに含む、請求項１に記載の方法。
【請求項３】
前記接合ヘッド（１１０）が、弾性部材、ばね部材、磁気部材、電気部材、電磁部材、真空部材、ガス動力部材、摩擦部材、油圧部材、誘導部材、またはこれらの任意の組み合わせを使用して、前記接触面（１８５）の回転を維持する（２０３、２０５）ように構成および配置（２１５）されている、請求項１または２に記載の方法。
【請求項４】
前記方法が、
・前記第１の移動軸（１７０）および／または第２の移動軸（１７５）および／または第３の移動軸（１７７）の周りでの前記接触面（１８５）の前記回転を測定するように構成および配置された傾斜測定デバイスを提供する（２０７）ことと、
・前記第１の移動軸（１７０）に沿った変位の程度を決定し、前記第１の移動軸（１７０）および／または第２の移動軸（１７５）および／または第３の移動軸（１７７）の周りでの所望の回転を得るように構成および配置されたプロセッサを提供することと、
・前記プロセッサを、前記接触面（１８５）の前記所望の傾斜に到達したときに、前記第１の移動軸（１７０）に沿った変位を停止するようにさらに構成および配置することと、をさらに含む（２００）、請求項１〜３のいずれか一項に記載の方法。
【請求項５】
前記方法が、
・前記基板（１６０）の傾斜を測定するように構成および配置された傾斜センサを提供することと、
・前記基板（１６０）の前記測定された傾斜を使用して前記第１の移動軸（１７０）に沿った前記変位の程度を決定し、前記第１の移動軸（１７０）および／または第２の移動軸（１７５）および／または第３の移動軸（１７７）の周りでの所望の回転を得るように構成および配置されたプロセッサを提供することと、をさらに含む（２００）、請求項１〜４のいずれか一項に記載の方法。
【請求項６】
前記方法が、
・前記接合ヘッド支持キャリア（１０１）および／または前記接合ヘッド取り付け具（１０２）および／または前記接合ヘッド（１１０）および／または前記受容部および／または前記接触面（１８５）の温度および／または相対温度を測定するように構成および配置された温度センサを提供することと、
・前記接触面（１８５）の前記測定された温度を使用して前記第１の移動軸（１７０）に沿った前記変位の程度を決定し、前記第１の移動軸（１７０）および／または第２の移動軸（１７５）および／または第３の移動軸（１７７）の周りでの所望の回転を得るように構成および配置されたプロセッサを提供することと、をさらに含む（２００）、請求項１〜５のいずれか一項に記載の方法。
【請求項７】
前記方法が、
・前記基板（１６０）および／または基板基部の温度および／または相対温度を測定するように構成および配置された温度センサを提供することと、
・前記第１の移動軸（１７０）に沿った前記変位の程度を決定し、前記基板（１６０）の前記測定された温度を使用して、前記第１の移動軸（１７０）および／または第２の移動軸（１７５）および／または第３の移動軸（１７７）の周りでの所望の回転を得るように構成および配置されたプロセッサを提供することと、をさらに含む（２００）、請求項１〜６のいずれか一項に記載の方法。
【請求項８】
前記ピックアップ部材（１８０）の前記接触面（１８５）の前記回転を制御する方法であって、
・前記基板（１６０）および／または前記接触面（１８５）および／または前記基板（１６０）に対する接合された部品（１５０）に対する前記接合ヘッド（１１０）の前記傾斜および／または回転を測定することであって、少なくとも前記接合ヘッドの前記位置が、基準マークによって光学的に検出可能である、測定することと、
・測定値からの前記傾斜および／または回転の補償のための補償の程度を決定することと、
・前記接合ヘッド（１１０）を前記補償の程度で補償される第１の位置に移動させることと、
・前記第１の係合部材（１２０）を前記第１の調整部材（１３０）と堅固に係合する（２６０）ことと、
・第１の補償を適用することと、
・前記接合ヘッド（１１０）を前記補償の程度で補償される第２の位置に移動させることと、
・前記第２の係合部材（１２５）を前記第１の調整部材（１３５）と堅固に係合すること（２６５）と、
・第２の補償を適用することと、を含み、
前記補償の程度を決定するために基準マークが使用される、方法。
【請求項９】
基板位置（１６５）上に提供された基板（１６０）上に部品（１５０）を取り付けるための装置（１００）であって、前記装置（１００）が、
・前記基板（１６０）に対して第１の移動軸（１７０）および第２の移動軸（１７５）に沿って変位可能な接合ヘッド（１１０）であって、前記第２の移動軸（１７５）が前記第１の移動軸（１７０）に実質的に直角である、接合ヘッド（１１０）と、
・接触面（１８５）を有するピックアップ部材（１８０）であって、前記ピックアップ部材（１８０）が、前記接合ヘッド（１１０）上に配設されており、前記接触面（１８５）が、部品（１５０）に解放可能に装着可能であるように構成および配置されており、前記接触面（１８５）が、前記第１の移動軸（１７５）の周りを回転可能であるようにさらに構成および配置されるように構成および配置されている、ピックアップ部材（１８０）と、
・前記接触面（１８５）が前記第２の移動軸（１７５）の周りを回転するように、第３の移動軸（１７７）に沿って前記接合ヘッド（１１０）に力を加えるように構成および配置された、前記接合ヘッド（１１０）上に配置された第１の係合部材（１２０）であって、前記第３の移動軸（１７７）が前記第１の移動軸（１７０）に実質的に直角であり、前記第２の移動軸（１７５）に実質的に直角である、第１の係合部材（１２０）と、
・前記第１の係合部材（１２０）との堅固な係合のための、第１の調整位置（１３２）内の第１の調整部材（１３０）と、を備え、
さらに、
・前記接合ヘッド（１１０）が、前記第１の調整位置（１３２）に変位可能であり、前記第１の係合部材（１２０）が、前記第１の調整部材（１３０）と堅固に係合されており、
・係合中、前記接合ヘッド（１１０）が、前記第１の移動軸（１７０）に沿って前記第１の調節部材（１３０）に対して変位可能であることにより、前記第３の移動軸（１７７）に沿って力が加えられて、前記接触面（１８５）を前記第２の移動軸（１７５）の周りを回転させ、
・前記第１の係合部材（１２０）が、前記第１の調整部材（１３０）から取り外し可能または解放可能に取り外し可能であり、
・前記接合ヘッド（１１０）が、前記基板位置（１６５）に向かって変位可能であり、前記接触面（１８５）が、前記第１の移動軸（１７５）の周りでの回転を維持する（２０３）ように構成および配置されている、装置（１００）。
【請求項１０】
・前記接合ヘッド（１１０）が、前記基板（１６０）に対して前記第３の移動軸（１７７）に沿って変位可能であるようにさらに構成および配置されており、
・前記接触面（１８５）が、前記第３の移動軸（１７７）の周りを回転可能であるようにさらに配置されており、
前記装置（１００）は、
・前記接触面（１８５）が前記第３の移動軸（１７７）の周りを回転するように、前記第２の移動軸（１７５）に沿って前記接合ヘッド（１１０）に力を加えるように構成および配置された、前記接合ヘッド（１１０）上に配設された第２の係合部材（１２５）と、
・第２の調整位置（１３７）内の第２の調整部材（１３５）であって、前記第２の調整部材（１３５）が、前記第２の係合部材（１２０）と堅固に係合するように構成および配置されている、第２の調整部材（１３５）と、をさらに備え、
さらに、
・前記接合ヘッド（１１０）が、前記第２の調整位置（１３７）に変位可能であり、前記第２の係合部材（１２５）が、前記第２の調整部材（１３５）と堅固に係合されており、
・前記接合ヘッド（１１０）が、前記第１の移動軸（１７０）に沿って前記第２の調整部材（１３５）に対して変位可能であることにより、前記第２の移動軸（１７５）に沿って力が加えられて、前記接触面（１８５）を前記第３の移動軸（１７７）の周りを回転させ、
・前記第２の係合部材（１２５）が、前記第２の調整部材（１３５）から解放可能または再解放可能であり、
・前記接合ヘッド（１１０）が、前記第２の調整部材（１３０）からの解放（２８５）後に、前記第３の移動軸（１７７）の周りでの前記接触面（１８５）の回転（２０３）を維持する（２０３）ようにさらに構成および配置されている、請求項９に記載の装置。
【国際調査報告】
2021529441.tif 000022
2021529441.tif 000023
2021529441.tif 000024
2021529441.tif 000025
2021529441.tif 000026
2021529441.tif 000027
2021529441.tif 000028
2021529441.tif 000029
2021529441.tif 000030
2021529441.tif 000031
2021529441.tif 000032